(57)【要約】【課題】提供する遊技媒体数を店舗毎に設定する必要がなく、ゲーム場が意図しない遊技媒体の提供の重複利用を防止できる遊技媒体提供装置を提供する。【解決手段】情報取得手段によって遊技媒体提供情報および識別情報が取得された場合、当該識別情報により特定される利用者に対して当該遊技媒体提供情報に対応する遊技媒体の提供の可否を判定する遊技媒体提供可否判定手段と、遊技媒体提供可否判定手段による判定結果に基づいて遊技媒体提供情報の提供数に応じた遊技媒体を提供する遊技媒体提供手段と、遊技媒体提供手段により遊技媒体が提供された場合、当該遊技媒体の提供に対応する遊技媒体提供情報および識別情報の組み合わせに基づいて遊技媒体が提供されたことを示すと共に当該組み合わせにより遊技媒体の提供が実行される毎に加算または減算される計数値を示す遊技媒体提供履歴情報を情報記憶手段に保持する情報記憶手段と、を備える。【選択図】図１
2019088498.tif 000002
【特許請求の範囲】
【請求項１】
遊技媒体の提供数を含む遊技媒体提供情報に基づいて複数の利用者に対して無償で前記遊技媒体を提供する遊技媒体提供方法であって、
第１情報取得手段が前記複数の利用者に共通な前記遊技媒体提供情報を取得すると共に、前記第１情報取得手段または第２情報取得手段が前記複数の利用者のそれぞれを特定可能な識別情報を取得する情報取得工程と、
前記情報取得工程において前記遊技媒体提供情報および前記識別情報が取得された場合、当該識別情報により特定される前記利用者に対して当該遊技媒体提供情報に対応する前記遊技媒体の提供の可否を遊技媒体提供可否判定手段が判定する遊技媒体提供可否判定工程と、
前記遊技媒体提供可否判定工程における判定結果に基づいて遊技媒体提供手段が前記遊技媒体提供情報の前記提供数に応じた前記遊技媒体を提供する遊技媒体提供工程と、
前記遊技媒体提供工程において前記遊技媒体が提供された場合、当該遊技媒体の提供に対応する前記遊技媒体提供情報および前記識別情報の組み合わせに基づいて前記遊技媒体が提供されたことを示すと共に当該組み合わせにより前記遊技媒体の提供が実行される毎に加算または減算される計数値を示す遊技媒体提供履歴情報を情報記憶手段に保持する遊技媒体提供履歴情報保持工程と、を備え、
前記遊技媒体提供情報が前記遊技媒体の提供を実行可能な回数を示す遊技媒体提供許容回数をさらに含み、
前記遊技媒体提供可否判定工程では、前記情報取得工程において取得された前記遊技媒体提供情報および前記識別情報の組み合わせに対応する前記遊技媒体提供履歴情報が前記情報記憶手段に保持されている場合に、当該遊技媒体提供履歴情報における前記計数値が前記取得された遊技媒体提供情報の前記遊技媒体提供許容回数に達していることを示すまでは前記遊技媒体の提供が可能と判定される、遊技媒体提供方法。
【請求項２】
前記遊技媒体提供可否判定工程では、前記情報取得工程において取得された前記遊技媒体提供情報および前記識別情報の組み合わせに対応する前記遊技媒体提供履歴情報が前記情報記憶手段に保持されていない場合に前記遊技媒体の提供が可能と判定される請求項１に記載の遊技媒体提供方法。
【請求項３】
遊技媒体の提供数を含む遊技媒体提供情報に基づいて複数の利用者に対して無償で前記遊技媒体を提供する遊技媒体提供装置であって、
前記複数の利用者に共通な前記遊技媒体提供情報を取得すると共に前記複数の利用者のそれぞれを特定可能な識別情報を取得する情報取得手段と、
前記情報取得手段によって前記遊技媒体提供情報および前記識別情報が取得された場合、当該識別情報により特定される前記利用者に対して当該遊技媒体提供情報に対応する前記遊技媒体の提供の可否を判定する遊技媒体提供可否判定手段と、
前記遊技媒体提供可否判定手段による判定結果に基づいて前記遊技媒体提供情報の前記提供数に応じた前記遊技媒体を提供する遊技媒体提供手段と、
前記遊技媒体提供手段により前記遊技媒体が提供された場合、当該遊技媒体の提供に対応する前記遊技媒体提供情報および前記識別情報の組み合わせに基づいて前記遊技媒体が提供されたことを示すと共に当該組み合わせにより前記遊技媒体の提供が実行される毎に加算または減算される計数値を示す遊技媒体提供履歴情報を情報記憶手段に保持する情報記憶手段と、を備え、
前記遊技媒体提供情報が前記遊技媒体の提供を実行可能な回数を示す遊技媒体提供許容回数をさらに含み、
前記遊技媒体提供可否判定手段は、前記情報取得手段により取得された前記遊技媒体提供情報および前記識別情報の組み合わせに対応する前記遊技媒体提供履歴情報が前記情報記憶手段に保持されている場合に、当該遊技媒体提供履歴情報における前記計数値が前記取得された遊技媒体提供情報の前記遊技媒体提供許容回数に達していることを示すまでは前記遊技媒体の提供が可能と判定する、遊技媒体提供装置。
【請求項４】
前記遊技媒体提供可否判定手段は、前記情報取得手段により取得された前記遊技媒体提供情報および前記識別情報の組み合わせに対応する前記遊技媒体提供履歴情報が前記情報記憶手段に保持されていない場合に前記遊技媒体の提供が可能と判定する請求項３に記載の遊技媒体提供装置。
【請求項５】
遊技媒体の提供数を含む遊技媒体提供情報に基づいて複数の利用者に対して無償で前記遊技媒体を提供する遊技媒体提供装置であって、
前記複数の利用者に共通な前記遊技媒体提供情報を取得する第１情報取得手段と、
前記複数の利用者のそれぞれを特定可能な識別情報を取得する第２情報取得手段と、
前記第１および第２情報取得手段によって前記遊技媒体提供情報および前記識別情報が取得された場合、当該識別情報により特定される前記利用者に対して当該遊技媒体提供情報に対応する前記遊技媒体の提供の可否を判定する遊技媒体提供可否判定手段と、
前記遊技媒体提供可否判定手段による判定結果に基づいて前記遊技媒体提供情報の前記提供数に応じた前記遊技媒体を提供する遊技媒体提供手段と、
前記遊技媒体提供手段により前記遊技媒体が提供された場合、当該遊技媒体の提供に対応する前記遊技媒体提供情報および前記識別情報の組み合わせに基づいて前記遊技媒体が提供されたことを示すと共に当該組み合わせにより前記遊技媒体の提供が実行される毎に加算または減算される計数値を示す遊技媒体提供履歴情報を情報記憶手段に保持する情報記憶手段と、を備え、
前記遊技媒体提供情報が前記遊技媒体の提供を実行可能な回数を示す遊技媒体提供許容回数をさらに含み、
前記遊技媒体提供可否判定手段は、前記第１および第２情報取得手段により取得された前記遊技媒体提供情報および前記識別情報の組み合わせに対応する前記遊技媒体提供履歴情報が前記情報記憶手段に保持されている場合に、当該遊技媒体提供履歴情報における前記計数値が前記取得された遊技媒体提供情報の前記遊技媒体提供許容回数に達していることを示すまでは前記遊技媒体の提供が可能と判定する、遊技媒体提供装置。
【請求項６】
前記遊技媒体提供可否判定手段は、前記第１および第２情報取得手段により取得された前記遊技媒体提供情報および前記識別情報の組み合わせに対応する前記遊技媒体提供履歴情報が前記情報記憶手段に保持されていない場合に前記遊技媒体の提供が可能と判定する請求項５に記載の遊技媒体提供装置。
【請求項７】
遊技媒体の提供数を含む遊技媒体提供情報に基づいて複数の利用者に対して無償で前記遊技媒体を提供する遊技媒体提供システムであって、
前記遊技媒体を提供する機能を有する遊技媒体処理装置と、前記遊技媒体処理装置に対して通信可能な管理装置と、を備え、
前記遊技媒体処理装置は、
前記複数の利用者に共通な前記遊技媒体提供情報を取得すると共に前記複数の利用者のそれぞれを特定可能な識別情報を取得する情報取得手段と、
前記情報取得手段により取得された前記遊技媒体提供情報および前記識別情報の組み合わせを前記管理装置に送信するよう制御する第１制御手段と、
前記遊技媒体を提供する遊技媒体提供手段と、
を含み、
前記管理装置は、
前記遊技媒体処理装置から前記遊技媒体提供情報および前記識別情報の組み合わせが送信された場合に当該識別情報により特定される前記利用者に対して当該遊技媒体提供情報に対応する前記遊技媒体の提供の可否を判定する遊技媒体提供可否判定手段と、
前記遊技媒体提供可否判定手段により前記遊技媒体の提供が可能と判定された場合にはその判定に対応する前記遊技媒体提供情報および前記識別情報の組み合わせに基づいて前記遊技媒体が提供されたことを示すと共に当該組み合わせにより前記遊技媒体の提供が実行される毎に加算または減算される計数値を示す遊技媒体提供履歴情報を保持する情報記憶手段と、
前記遊技媒体提供可否判定手段による判定結果を前記遊技媒体処理装置に送信するよう制御する第２制御手段と、
を含み、
前記第１制御手段は、前記管理装置から送信された前記判定結果に基づいて前記遊技媒体提供情報の前記提供数に応じた前記遊技媒体を提供するよう前記遊技媒体提供手段を制御し、
前記遊技媒体提供情報が前記遊技媒体の提供を実行可能な回数を示す遊技媒体提供許容回数をさらに含み、
前記遊技媒体提供可否判定手段は、前記遊技媒体処理装置から送信された前記遊技媒体提供情報および前記識別情報の組み合わせに対応する前記遊技媒体提供履歴情報が前記情報記憶手段に保持されている場合に、当該遊技媒体提供履歴情報における前記計数値が前記送信された遊技媒体提供情報の前記遊技媒体提供許容回数に達していることを示すまでは前記遊技媒体の提供が可能と判定する、遊技媒体提供システム。
【請求項８】
前記遊技媒体提供可否判定手段は、前記遊技媒体処理装置から送信された前記遊技媒体提供情報および前記識別情報の組み合わせに対応する前記遊技媒体提供履歴情報が前記情報記憶手段に保持されていない場合に前記遊技媒体の提供が可能と判定する請求項７に記載の遊技媒体提供システム。
【請求項９】
遊技媒体の提供数を含む遊技媒体提供情報に基づいて複数の利用者に対して無償で前記遊技媒体を提供する遊技媒体提供システムであって、
前記遊技媒体を提供する機能を有する遊技媒体処理装置と、前記遊技媒体処理装置に対して通信可能な管理装置と、を備え、
前記遊技媒体処理装置は、
前記複数の利用者に共通な前記遊技媒体提供情報を取得する第１情報取得手段と、
前記複数の利用者のそれぞれを特定可能な識別情報を取得する第２情報取得手段と、
前記第１および第２情報取得手段により取得された前記遊技媒体提供情報および前記識別情報を前記管理装置に送信するよう制御する第１制御手段と、
前記遊技媒体を提供する遊技媒体提供手段と、
を含み、
前記管理装置は、
前記遊技媒体処理装置から前記遊技媒体提供情報および前記識別情報が送信された場合に当該識別情報により特定される前記利用者に対して当該遊技媒体提供情報に対応する前記遊技媒体の提供の可否を判定する遊技媒体提供可否判定手段と、
前記遊技媒体提供可否判定手段により前記遊技媒体の提供が可能と判定された場合にはその判定に対応する前記遊技媒体提供情報および前記識別情報の組み合わせに基づいて前記遊技媒体が提供されたことを示すと共に当該組み合わせにより前記遊技媒体の提供が実行される毎に加算または減算される計数値を示す遊技媒体提供履歴情報を保持する情報記憶手段と、
前記遊技媒体提供可否判定手段による判定結果を前記遊技媒体処理装置に送信するよう制御する第２制御手段と、
を含み、
前記第１制御手段は、前記管理装置から送信された前記判定結果に基づいて前記遊技媒体提供情報の前記提供数に応じた前記遊技媒体を提供するよう前記遊技媒体提供手段を制御し、
前記遊技媒体提供情報が前記遊技媒体の提供を実行可能な回数を示す遊技媒体提供許容回数をさらに含み、
前記遊技媒体提供可否判定手段は、前記遊技媒体処理装置から送信された前記遊技媒体提供情報および前記識別情報の組み合わせに対応する前記遊技媒体提供履歴情報が前記情報記憶手段に保持されている場合に、当該遊技媒体提供履歴情報における前記計数値が前記送信された遊技媒体提供情報の前記遊技媒体提供許容回数に達していることを示すまでは前記遊技媒体の提供が可能と判定する、遊技媒体提供システム。
【請求項１０】
前記遊技媒体提供可否判定手段は、前記遊技媒体処理装置から送信された前記遊技媒体提供情報および前記識別情報の組み合わせに対応する前記遊技媒体提供履歴情報が前記情報記憶手段に保持されていない場合に前記遊技媒体の提供が可能と判定する請求項９に記載の遊技媒体提供システム。
【発明の詳細な説明】
【技術分野】
【０００１】
本発明は、遊技媒体提供方法、遊技媒体提供装置および遊技媒体提供システムに関し、詳しくは、ゲーム機が設置されたゲーム場において、遊技媒体を用いてゲームを行う利用者に対して無償で遊技媒体を提供する遊技媒体提供方法、遊技媒体提供装置および遊技媒体提供システムに関する。
【背景技術】
【０００２】
アーケードゲーム施設等のゲーム場では、遊技媒体としてメダルを使用するゲーム機が設置されている。このようなゲーム機は、利用者がゲーム機にメダルを投入することによりプレイが可能となるよう構成されている。利用者は、プレイしたゲームの結果に応じて所定枚数のメダルの払い出しを受けることができる。
【０００３】
ゲーム場では、利用者の来店を促すために種々のサービスを行っている。例えば、所定数のメダルと交換できるサービス券を新聞や雑誌等の紙媒体に印刷して発行し、当該サービス券を持参して来店した利用者に無償でメダルを提供するサービス（以下、「メダルサービス」という）を行っている。サービス券を持参した利用者は店員にサービス券を提示し、ゲーム場の店員がサービス券に印刷された枚数に応じたメダルを利用者に提供する。
【０００４】
また、携帯端末を用いた会員サービスを利用してメダルサービスを行う形態もある。すなわち、予め会員登録した利用者に対して電子メールを送信し、利用者は当該電子メールの内容を携帯端末の表示器に表示させて、ゲーム場の店員に提示する。ゲーム場の店員は表示器に表示されたサービスの内容を確認した上で、当該サービスの内容に応じたメダルを利用者に提供する。
【０００５】
他方、従前より無償で遊技媒体を提供する技術が提案されており、例えば、特許文献１（特開平７−５１４６４号公報）に開示された「遊技媒体貸出システム」がある。この「遊技媒体貸出システム」は、遊技者毎に設定されたＩＤカードと、このＩＤカードのデータを読取るカード処理機と、預け入れた遊技媒体の数量を前記遊技者毎に設定された口座としての記憶領域に記憶する記憶手段と、遊技者が前記口座に預け入れるために、投入した遊技媒体の数量を計数する遊技媒体計数機と、遊技者が遊技するために、自分の口座に残っている数量内で数量を指定して遊技媒体を引き出す遊技媒体引出機と、前記記憶領域に追加記憶させるべき遊技媒体の数量を設定する設定手段と、この設定手段により設定された遊技媒体の数量を遊技者の記憶領域に追加記憶させ、その遊技者に対して遊技媒体を無料で貸し出せるようにする制御手段と、を備えている。この「遊技媒体貸出システム」では、遊技者毎に口座として設定された遊技媒体の記憶領域に記憶された遊技媒体数は、設定手段により追加記憶されることにより、遊技者は無料で遊技媒体のサービスを受けることができる、とされている。
【先行技術文献】
【特許文献】
【０００６】
【特許文献１】特開平７−５１４６４号公報（請求項１、段落０００８、００１０、段落００１２〜００６７、図１〜図９参照）
【発明の開示】
【発明が解決しようとする課題】
【０００７】
サービス券を用いたメダルサービスでは、ゲーム場の店員が頻繁に利用者に対応する必要があるため、店員の業務負担が増え、ひいては人件費が増加する。換言すれば、ゲーム場におけるコストが増加するという問題がある。近年、ポイントの付与や商品の割引サービスを行う際に二次元コードを用いる技術が提案されており、この技術を応用してメダルサービスを自動化することも可能である。しかしながら、利用者が１枚のサービス券を用いて重複してメダルサービスを受けることができるため、ゲーム場が意図しないメダルサービスの重複利用を防止できないという問題がある。
【０００８】
携帯端末を用いたメダルサービスでは、携帯端末を所持していない年少者や年配者はそのサービスを受けられないという問題がある。換言すれば、利用者の利便性が低下するという問題がある。さらに、システムとして大規模化・複雑化するため導入費や運営費が増大するという問題もある。
【０００９】
特許文献１の「遊技媒体貸出システム」では、無料サービスを受ける遊技媒体数を店舗毎に設定する必要があるという問題がある。
【００１０】
本発明は上記問題点を鑑みてなされたものであり、その目的とするところは、無償で提供する遊技媒体数を店舗毎に設定する必要がなく、ゲーム場が意図しない遊技媒体の無償サービスの重複利用を効果的に防止できる遊技媒体提供方法、遊技媒体提供装置および遊技媒体提供システムを提供することにある。
本発明の他の目的は、ゲーム場が意図しない遊技媒体の無償サービスの重複利用を防止しつつ、サービスの多様化が図れる遊技媒体提供方法、遊技媒体提供装置および遊技媒体提供システムを提供することにある。
本発明のさらに他の目的は、ゲーム場におけるコストの増加を抑制しつつ、利用者の利便性を高めた遊技媒体提供方法、遊技媒体提供装置および遊技媒体提供システムを提供することにある。
ここに明記しない本発明の他の目的は、以下の説明および添付図面から明らかである。
【課題を解決するための手段】
【００１１】
この目的を達成するため、本発明は以下のように構成される。
【００１２】
本発明の遊技媒体提供方法は、遊技媒体の提供数を含む遊技媒体提供情報に基づいて複数の利用者に対して無償で前記遊技媒体を提供する遊技媒体提供方法であって、第１情報取得手段が前記複数の利用者に共通な前記遊技媒体提供情報を取得すると共に、前記第１情報取得手段または第２情報取得手段が前記複数の利用者のそれぞれを特定可能な識別情報を取得する情報取得工程と、前記情報取得工程において前記遊技媒体提供情報および前記識別情報が取得された場合、当該識別情報により特定される前記利用者に対して当該遊技媒体提供情報に対応する前記遊技媒体の提供の可否を遊技媒体提供可否判定手段が判定する遊技媒体提供可否判定工程と、前記遊技媒体提供可否判定工程における判定結果に基づいて遊技媒体提供手段が前記遊技媒体提供情報の前記提供数に応じた前記遊技媒体を提供する遊技媒体提供工程と、前記遊技媒体提供工程において前記遊技媒体が提供された場合、当該遊技媒体の提供に対応する前記遊技媒体提供情報および前記識別情報の組み合わせに基づいて前記遊技媒体が提供されたことを示すと共に当該組み合わせにより前記遊技媒体の提供が実行される毎に加算または減算される計数値を示す遊技媒体提供履歴情報を情報記憶手段に保持する遊技媒体提供履歴情報保持工程と、を備え、前記遊技媒体提供情報が前記遊技媒体の提供を実行可能な回数を示す遊技媒体提供許容回数をさらに含み、前記遊技媒体提供可否判定工程では、前記情報取得工程において取得された前記遊技媒体提供情報および前記識別情報の組み合わせに対応する前記遊技媒体提供履歴情報が前記情報記憶手段に保持されている場合に、当該遊技媒体提供履歴情報における前記計数値が前記取得された遊技媒体提供情報の前記遊技媒体提供許容回数に達していることを示すまでは前記遊技媒体の提供が可能と判定される、遊技媒体提供方法である。
【００１３】
なお、本発明における「遊技媒体の提供」とは、物理遊技媒体または電子遊技媒体を利用者に提供することを意味する。物理遊技媒体は有体物としての遊技媒体であり、電子遊技媒体は情報と関連付けられた遊技媒体を意味し、無体物の遊技媒体情報を含む概念である。
【００１４】
本発明の遊技媒体提供方法では、第１情報取得手段により複数の利用者に共通な遊技媒体提供情報が取得され、第１情報取得手段または第２情報取得手段により複数の利用者のそれぞれを特定可能な識別情報が取得される。遊技媒体提供情報および識別情報が取得された場合、当該識別情報に基づいて遊技媒体を提供する利用者を特定し、特定された利用者に対して当該遊技媒体提供情報に対応する遊技媒体の提供の可否が遊技媒体提供可否判定手段により判定される。そして、遊技媒体提供可否判定手段の判定結果に基づいて遊技媒体提供情報に含まれる遊技媒体の提供数に応じた遊技媒体の提供が遊技媒体提供手段により行われる。遊技媒体提供情報には遊技媒体の提供数が含まれているため、提供すべき遊技媒体数を店舗毎に設定する必要がない。
【００１５】
また、遊技媒体の提供がなされた場合、当該遊技媒体の提供に対応する遊技媒体提供情報および識別情報の組み合わせに基づいて遊技媒体が提供されたことを示すと共に当該組み合わせにより遊技媒体の提供が実行される毎に加算または減算される計数値を示す遊技媒体提供履歴情報が情報記憶手段に保持される。遊技媒体提供情報は遊技媒体の提供を実行可能な回数を示す遊技媒体提供許容回数をさらに含み、遊技媒体提供可否判定手段は、情報取得手段により取得された遊技媒体提供情報および識別情報の組み合わせに対応する遊技媒体提供履歴情報が情報記憶手段に保持されている場合に、当該遊技媒体提供履歴情報における計数値が取得された遊技媒体提供情報の遊技媒体提供許容回数に達していることを示すまでは前記遊技媒体の提供が可能と判定する。換言すれば、遊技媒体提供許容回数を適宜設定すれば、その遊技媒体提供許容回数の範囲内で遊技媒体の提供が行われる。そのため、意図する範囲内でのみ遊技媒体の重複提供が可能となり、意図する範囲を超えた遊技媒体の重複提供（すなわち、意図しない遊技媒体の重複提供）が効果的に防止される。これにより、意図しない遊技媒体の重複提供を防止しつつ、サービスの多様化が図れる。また、ゲーム場の店員が関与することなく自動で遊技媒体の提供サービスが実行されるため、コストの増加を抑制できると共に、利用者の利便性も向上する。
【００１６】
本発明の遊技媒体提供方法の好ましい例では、前記遊技媒体提供可否判定工程では、前記情報取得工程において取得された前記遊技媒体提供情報および前記識別情報の組み合わせに対応する前記遊技媒体提供履歴情報が前記情報記憶手段に保持されていない場合に前記遊技媒体の提供が可能と判定される。
【００１７】
本発明の第１の遊技媒体提供装置は、遊技媒体の提供数を含む遊技媒体提供情報に基づいて複数の利用者に対して無償で前記遊技媒体を提供する遊技媒体提供装置であって、前記複数の利用者に共通な前記遊技媒体提供情報を取得すると共に前記複数の利用者のそれぞれを特定可能な識別情報を取得する情報取得手段と、前記情報取得手段によって前記遊技媒体提供情報および前記識別情報が取得された場合、当該識別情報により特定される前記利用者に対して当該遊技媒体提供情報に対応する前記遊技媒体の提供の可否を判定する遊技媒体提供可否判定手段と、前記遊技媒体提供可否判定手段による判定結果に基づいて前記遊技媒体提供情報の前記提供数に応じた前記遊技媒体を提供する遊技媒体提供手段と、前記遊技媒体提供手段により前記遊技媒体が提供された場合、当該遊技媒体の提供に対応する前記遊技媒体提供情報および前記識別情報の組み合わせに基づいて前記遊技媒体が提供されたことを示すと共に当該組み合わせにより前記遊技媒体の提供が実行される毎に加算または減算される計数値を示す遊技媒体提供履歴情報を情報記憶手段に保持する情報記憶手段と、を備え、前記遊技媒体提供情報が前記遊技媒体の提供を実行可能な回数を示す遊技媒体提供許容回数をさらに含み、前記遊技媒体提供可否判定手段は、前記情報取得手段により取得された前記遊技媒体提供情報および前記識別情報の組み合わせに対応する前記遊技媒体提供履歴情報が前記情報記憶手段に保持されている場合に、当該遊技媒体提供履歴情報における前記計数値が前記取得された遊技媒体提供情報の前記遊技媒体提供許容回数に達していることを示すまでは前記遊技媒体の提供が可能と判定する、遊技媒体提供装置である。
【００１８】
本発明の第１の遊技媒体提供装置では、情報取得手段により複数の利用者に共通な遊技媒体提供情報が取得されると共に複数の利用者のそれぞれを特定可能な識別情報が取得される。遊技媒体提供情報および識別情報が取得された場合、当該識別情報に基づいて遊技媒体を提供する利用者を特定し、特定された利用者に対して当該遊技媒体提供情報に対応する遊技媒体の提供の可否が遊技媒体提供可否判定手段により判定される。そして、遊技媒体提供可否判定手段の判定結果に基づいて遊技媒体提供情報に含まれる遊技媒体の提供数に応じた遊技媒体の提供が遊技媒体提供手段により行われる。遊技媒体提供情報には遊技媒体の提供数が含まれているため、提供すべき遊技媒体数を店舗毎に設定する必要がない。
【００１９】
また、遊技媒体の提供がなされた場合、当該遊技媒体の提供に対応する遊技媒体提供情報および識別情報の組み合わせに基づいて遊技媒体が提供されたことを示すと共に当該組み合わせにより遊技媒体の提供が実行される毎に加算または減算される計数値を示す遊技媒体提供履歴情報が情報記憶手段に保持される。遊技媒体提供情報は遊技媒体の提供を実行可能な回数を示す遊技媒体提供許容回数をさらに含み、遊技媒体提供可否判定手段は、情報取得手段により取得された遊技媒体提供情報および識別情報の組み合わせに対応する遊技媒体提供履歴情報が情報記憶手段に保持されている場合に、当該遊技媒体提供履歴情報における計数値が取得された遊技媒体提供情報の遊技媒体提供許容回数に達していることを示すまでは前記遊技媒体の提供が可能と判定する。換言すれば、遊技媒体提供許容回数を適宜設定すれば、その遊技媒体提供許容回数の範囲内で遊技媒体の提供が行われる。そのため、意図する範囲内でのみ遊技媒体の重複提供が可能となり、意図する範囲を超えた遊技媒体の重複提供（すなわち、意図しない遊技媒体の重複提供）が効果的に防止される。これにより、意図しない遊技媒体の重複提供を防止しつつ、サービスの多様化が図れる。また、ゲーム場の店員が関与することなく自動で遊技媒体の提供サービスが実行されるため、コストの増加を抑制できると共に、利用者の利便性も向上する。
【００２０】
本発明の第１の遊技媒体提供装置の好ましい例では、前記遊技媒体提供可否判定手段は、前記情報取得手段により取得された前記遊技媒体提供情報および前記識別情報の組み合わせに対応する前記遊技媒体提供履歴情報が前記情報記憶手段に保持されていない場合に前記遊技媒体の提供が可能と判定する。
【００２１】
本発明の第２の遊技媒体提供装置は、遊技媒体の提供数を含む遊技媒体提供情報に基づいて複数の利用者に対して無償で前記遊技媒体を提供する遊技媒体提供装置であって、前記複数の利用者に共通な前記遊技媒体提供情報を取得する第１情報取得手段と、前記複数の利用者のそれぞれを特定可能な識別情報を取得する第２情報取得手段と、前記第１および第２情報取得手段によって前記遊技媒体提供情報および前記識別情報が取得された場合、当該識別情報により特定される前記利用者に対して当該遊技媒体提供情報に対応する前記遊技媒体の提供の可否を判定する遊技媒体提供可否判定手段と、前記遊技媒体提供可否判定手段による判定結果に基づいて前記遊技媒体提供情報の前記提供数に応じた前記遊技媒体を提供する遊技媒体提供手段と、前記遊技媒体提供手段により前記遊技媒体が提供された場合、当該遊技媒体の提供に対応する前記遊技媒体提供情報および前記識別情報の組み合わせに基づいて前記遊技媒体が提供されたことを示すと共に当該組み合わせにより前記遊技媒体の提供が実行される毎に加算または減算される計数値を示す遊技媒体提供履歴情報を情報記憶手段に保持する情報記憶手段と、を備え、前記遊技媒体提供情報が前記遊技媒体の提供を実行可能な回数を示す遊技媒体提供許容回数をさらに含み、前記遊技媒体提供可否判定手段は、前記第１および第２情報取得手段により取得された前記遊技媒体提供情報および前記識別情報の組み合わせに対応する前記遊技媒体提供履歴情報が前記情報記憶手段に保持されている場合に、当該遊技媒体提供履歴情報における前記計数値が前記取得された遊技媒体提供情報の前記遊技媒体提供許容回数に達していることを示すまでは前記遊技媒体の提供が可能と判定する、遊技媒体提供装置である。
【００２２】
本発明の第２の遊技媒体提供装置では、第１情報取得手段により複数の利用者に共通な遊技媒体提供情報が取得され、第２情報取得手段により複数の利用者のそれぞれを特定可能な識別情報が取得される。遊技媒体提供情報および識別情報が取得された場合、当該識別情報に基づいて遊技媒体を提供する利用者を特定し、特定された利用者に対して当該遊技媒体提供情報に対応する遊技媒体の提供の可否が遊技媒体提供可否判定手段により判定される。そして、遊技媒体提供可否判定手段の判定結果に基づいて遊技媒体提供情報に含まれる遊技媒体の提供数に応じた遊技媒体の提供が遊技媒体提供手段により行われる。遊技媒体提供情報には遊技媒体の提供数が含まれているため、提供すべき遊技媒体数を店舗毎に設定する必要がない。
【００２３】
また、遊技媒体の提供がなされた場合、当該遊技媒体の提供に対応する遊技媒体提供情報および識別情報の組み合わせに基づいて遊技媒体が提供されたことを示すと共に当該組み合わせにより遊技媒体の提供が実行される毎に加算または減算される計数値を示す遊技媒体提供履歴情報が情報記憶手段に保持される。遊技媒体提供情報は遊技媒体の提供を実行可能な回数を示す遊技媒体提供許容回数をさらに含み、遊技媒体提供可否判定手段は、情報取得手段により取得された遊技媒体提供情報および識別情報の組み合わせに対応する遊技媒体提供履歴情報が情報記憶手段に保持されている場合に、当該遊技媒体提供履歴情報における計数値が取得された遊技媒体提供情報の遊技媒体提供許容回数に達していることを示すまでは前記遊技媒体の提供が可能と判定する。換言すれば、遊技媒体提供許容回数を適宜設定すれば、その遊技媒体提供許容回数の範囲内で遊技媒体の提供が行われる。そのため、意図する範囲内でのみ遊技媒体の重複提供が可能となり、意図する範囲を超えた遊技媒体の重複提供（すなわち、意図しない遊技媒体の重複提供）が効果的に防止される。これにより、意図しない遊技媒体の重複提供を防止しつつ、サービスの多様化が図れる。また、ゲーム場の店員が関与することなく自動で遊技媒体の提供サービスが実行されるため、コストの増加を抑制できると共に、利用者の利便性も向上する。
【００２４】
本発明の第２の遊技媒体提供装置の好ましい例では、前記遊技媒体提供可否判定手段は、前記第１および第２情報取得手段により取得された前記遊技媒体提供情報および前記識別情報の組み合わせに対応する前記遊技媒体提供履歴情報が前記情報記憶手段に保持されていない場合に前記遊技媒体の提供が可能と判定する。
【００２５】
本発明の第１の遊技媒体提供システムは、遊技媒体の提供数を含む遊技媒体提供情報に基づいて複数の利用者に対して無償で前記遊技媒体を提供する遊技媒体提供システムであって、
前記遊技媒体を提供する機能を有する遊技媒体処理装置と、前記遊技媒体処理装置に対して通信可能な管理装置と、を備え、前記遊技媒体処理装置は、前記複数の利用者に共通な前記遊技媒体提供情報を取得すると共に前記複数の利用者のそれぞれを特定可能な識別情報を取得する情報取得手段と、前記情報取得手段により取得された前記遊技媒体提供情報および前記識別情報の組み合わせを前記管理装置に送信するよう制御する第１制御手段と、前記遊技媒体を提供する遊技媒体提供手段と、を含み、前記管理装置は、前記遊技媒体処理装置から前記遊技媒体提供情報および前記識別情報の組み合わせが送信された場合に当該識別情報により特定される前記利用者に対して当該遊技媒体提供情報に対応する前記遊技媒体の提供の可否を判定する遊技媒体提供可否判定手段と、前記遊技媒体提供可否判定手段により前記遊技媒体の提供が可能と判定された場合にはその判定に対応する前記遊技媒体提供情報および前記識別情報の組み合わせに基づいて前記遊技媒体が提供されたことを示すと共に当該組み合わせにより前記遊技媒体の提供が実行される毎に加算または減算される計数値を示す遊技媒体提供履歴情報を保持する情報記憶手段と、前記遊技媒体提供可否判定手段による判定結果を前記遊技媒体処理装置に送信するよう制御する第２制御手段と、を含み、前記第１制御手段は、前記管理装置から送信された前記判定結果に基づいて前記遊技媒体提供情報の前記提供数に応じた前記遊技媒体を提供するよう前記遊技媒体提供手段を制御し、前記遊技媒体提供情報が前記遊技媒体の提供を実行可能な回数を示す遊技媒体提供許容回数をさらに含み、前記遊技媒体提供可否判定手段は、前記遊技媒体処理装置から送信された前記遊技媒体提供情報および前記識別情報の組み合わせに対応する前記遊技媒体提供履歴情報が前記情報記憶手段に保持されている場合に、当該遊技媒体提供履歴情報における前記計数値が前記送信された遊技媒体提供情報の前記遊技媒体提供許容回数に達していることを示すまでは前記遊技媒体の提供が可能と判定する、遊技媒体提供システムである。
【００２６】
本発明の第１の遊技媒体提供システムでは、遊技媒体処理装置の情報取得手段により複数の利用者に共通な遊技媒体提供情報と複数の利用者のそれぞれを特定可能な識別情報とが取得される。遊技媒体処理装置から遊技媒体提供情報および識別情報の組み合わせが送信された場合、管理装置において、当該識別情報に基づいて遊技媒体を提供する利用者を特定し、特定された利用者に対して当該遊技媒体提供情報に対応する遊技媒体の提供の可否が遊技媒体提供可否判定手段により判定される。そして、管理装置から判定結果が送信された場合、遊技媒体処理装置おいて当該判定結果に基づいて遊技媒体提供情報に含まれる遊技媒体の提供数に応じた遊技媒体の提供が遊技媒体提供手段により行われる。そのため、提供すべき遊技媒体数を店舗毎に設定する必要がない。
【００２７】
また、管理装置において、遊技媒体提供可否判定手段により前記遊技媒体の提供が可能と判定された場合、その判定に対応する前記遊技媒体提供情報および前記識別情報の組み合わせに基づいて遊技媒体が提供されたことを示すと共に当該組み合わせにより遊技媒体の提供が実行される毎に加算または減算される計数値を示す遊技媒体提供履歴情報が情報記憶手段に保持される。遊技媒体提供情報は遊技媒体の提供を実行可能な回数を示す遊技媒体提供許容回数をさらに含み、遊技媒体提供可否判定手段は、遊技媒体処理装置から送信された遊技媒体提供情報および識別情報の組み合わせに対応する遊技媒体提供履歴情報が情報記憶手段に保持されている場合に、当該遊技媒体提供履歴情報における計数値が遊技媒体処理装置から送信された遊技媒体提供情報の遊技媒体提供許容回数に達していることを示すまでは前記遊技媒体の提供が可能と判定する。換言すれば、遊技媒体提供許容回数を適宜設定すれば、その遊技媒体提供許容回数の範囲内で遊技媒体の提供が行われる。そのため、意図する範囲内でのみ遊技媒体の重複提供が可能となり、意図する範囲を超えた遊技媒体の重複提供（すなわち、意図しない遊技媒体の重複提供）が効果的に防止される。これにより、意図しない遊技媒体の重複提供を防止しつつ、サービスの多様化が図れる。また、ゲーム場の店員が関与することなく自動で遊技媒体の提供サービスが実行されるため、コストの増加を抑制できると共に、利用者の利便性も向上する。
【００２８】
本発明の第１の遊技媒体提供システムの好ましい例では、前記遊技媒体提供可否判定手段は、前記遊技媒体処理装置から送信された前記遊技媒体提供情報および前記識別情報の組み合わせに対応する前記遊技媒体提供履歴情報が前記情報記憶手段に保持されていない場合に前記遊技媒体の提供が可能と判定する。
【００２９】
本発明の本発明の第２の遊技媒体提供システムは、遊技媒体の提供数を含む遊技媒体提供情報に基づいて複数の利用者に対して無償で前記遊技媒体を提供する遊技媒体提供システムであって、前記遊技媒体を提供する機能を有する遊技媒体処理装置と、前記遊技媒体処理装置に対して通信可能な管理装置と、を備え、前記遊技媒体処理装置は、前記複数の利用者に共通な前記遊技媒体提供情報を取得する第１情報取得手段と、前記複数の利用者のそれぞれを特定可能な識別情報を取得する第２情報取得手段と、前記第１および第２情報取得手段により取得された前記遊技媒体提供情報および前記識別情報を前記管理装置に送信するよう制御する第１制御手段と、前記遊技媒体を提供する遊技媒体提供手段と、を含み、前記管理装置は、前記遊技媒体処理装置から前記遊技媒体提供情報および前記識別情報が送信された場合に当該識別情報により特定される前記利用者に対して当該遊技媒体提供情報に対応する前記遊技媒体の提供の可否を判定する遊技媒体提供可否判定手段と、前記遊技媒体提供可否判定手段により前記遊技媒体の提供が可能と判定された場合にはその判定に対応する前記遊技媒体提供情報および前記識別情報の組み合わせに基づいて前記遊技媒体が提供されたことを示すと共に当該組み合わせにより前記遊技媒体の提供が実行される毎に加算または減算される計数値を示す遊技媒体提供履歴情報を保持する情報記憶手段と、前記遊技媒体提供可否判定手段による判定結果を前記遊技媒体処理装置に送信するよう制御する第２制御手段と、を含み、前記第１制御手段は、前記管理装置から送信された前記判定結果に基づいて前記遊技媒体提供情報の前記提供数に応じた前記遊技媒体を提供するよう前記遊技媒体提供手段を制御し、前記遊技媒体提供情報が前記遊技媒体の提供を実行可能な回数を示す遊技媒体提供許容回数をさらに含み、前記遊技媒体提供可否判定手段は、前記遊技媒体処理装置から送信された前記遊技媒体提供情報および前記識別情報の組み合わせに対応する前記遊技媒体提供履歴情報が前記情報記憶手段に保持されている場合に、当該遊技媒体提供履歴情報における前記計数値が前記送信された遊技媒体提供情報の前記遊技媒体提供許容回数に達していることを示すまでは前記遊技媒体の提供が可能と判定する、遊技媒体提供システムである。
【００３０】
本発明の第２の遊技媒体提供システムでは、遊技媒体処理装置の第１情報取得手段により複数の利用者に共通な遊技媒体提供情報が取得され、遊技媒体処理装置の第２情報取得手段により複数の利用者のそれぞれを特定可能な識別情報が取得される。遊技媒体処理装置から遊技媒体提供情報および識別情報の組み合わせが送信された場合、管理装置において、当該識別情報に基づいて遊技媒体を提供する利用者を特定し、特定された利用者に対して当該遊技媒体提供情報に対応する遊技媒体の提供の可否が遊技媒体提供可否判定手段により判定される。そして、管理装置から判定結果が送信された場合、遊技媒体処理装置おいて当該判定結果に基づいて遊技媒体提供情報に含まれる遊技媒体の提供数に応じた遊技媒体の提供が遊技媒体提供手段により行われる。そのため、提供すべき遊技媒体数を店舗毎に設定する必要がない。
【００３１】
また、管理装置において、遊技媒体提供可否判定手段により前記遊技媒体の提供が可能と判定された場合、その判定に対応する前記遊技媒体提供情報および前記識別情報の組み合わせに基づいて遊技媒体が提供されたことを示すと共に当該組み合わせにより遊技媒体の提供が実行される毎に加算または減算される計数値を示す遊技媒体提供履歴情報が情報記憶手段に保持される。遊技媒体提供情報は遊技媒体の提供を実行可能な回数を示す遊技媒体提供許容回数をさらに含み、遊技媒体提供可否判定手段は、遊技媒体処理装置から送信された遊技媒体提供情報および識別情報の組み合わせに対応する遊技媒体提供履歴情報が情報記憶手段に保持されている場合に、当該遊技媒体提供履歴情報における計数値が遊技媒体処理装置から送信された遊技媒体提供情報の遊技媒体提供許容回数に達していることを示すまでは前記遊技媒体の提供が可能と判定する。換言すれば、遊技媒体提供許容回数を適宜設定すれば、その遊技媒体提供許容回数の範囲内で遊技媒体の提供が行われる。そのため、意図する範囲内でのみ遊技媒体の重複提供が可能となり、意図する範囲を超えた遊技媒体の重複提供（すなわち、意図しない遊技媒体の重複提供）が効果的に防止される。これにより、意図しない遊技媒体の重複提供を防止しつつ、サービスの多様化が図れる。また、ゲーム場の店員が関与することなく自動で遊技媒体の提供サービスが実行されるため、コストの増加を抑制できると共に、利用者の利便性も向上する。
【００３２】
本発明の第２の遊技媒体提供システムの好ましい例では、前記遊技媒体提供可否判定手段は、前記遊技媒体処理装置から送信された前記遊技媒体提供情報および前記識別情報の組み合わせに対応する前記遊技媒体提供履歴情報が前記情報記憶手段に保持されていない場合に前記遊技媒体の提供が可能と判定する。
【発明の効果】
【００３３】
本発明の遊技媒体提供方法、遊技媒体提供装置および遊技媒体提供システムでは、（ａ）無償で提供する遊技媒体数を店舗毎に設定する必要がなく、ゲーム場が意図しない遊技媒体の無償サービスの重複利用を効果的に防止できる、（ｂ）ゲーム場が意図しない遊技媒体の無償サービスの重複利用を防止しつつ、サービスの多様化が図れる、（ｃ）ゲーム場におけるコストの増加を抑制しつつ、利用者の利便性を高めることができる、という効果が得られる。
【図面の簡単な説明】
【００３４】
【図１】本発明の第１実施形態のメダル提供装置が適用されるゲーム場を示す概略図である。
【図２】図１のゲーム場に設置されるメダル貸し機を示す概略正面図である。
【図３】図２のメダル貸し機の要部概略ブロック図である。
【図４】図１のゲーム場に設置される、メダル提供装置としての機能を有するメダル預払機を示す概略正面図である。
【図５】図４のメダル預払機の要部概略ブロック図である。
【図６】図４のメダル貸し機を構成する制御装置の要部概略ブロック図である。
【図７】図１のゲーム場に設置される管理装置の要部概略ブロック図である。
【図８】図７の管理装置で管理される会員利用者識別番号および登録生体情報を示す概略図である。
【図９】図４のメダル提供装置で使用されるメダルサービスデータベースを示す概略図である。
【図１０】図４のメダル預払機の動作を示すフローチャートである。
【図１１】図４のメダル預払機の動作を示すフローチャートで、図１０の続きである。
【図１２】図１１のメダル可否判定ステップの詳細を示すフローチャートである。
【図１３】本発明の第２実施形態のメダル提供システムが適用されるゲーム場を示す概略図である。
【図１４】図１３のメダル提供システムを構成するメダル貸し機を示す概略正面図である。
【図１５】図１４のメダル貸し機の要部概略ブロック図である。
【図１６】図１４のメダル預払機を構成する制御装置の要部概略ブロック図である。
【図１７】図１３のメダル提供システムを構成するメダル預払機の要部概略ブロック図である。
【図１８】図１７のメダル預払機を構成する制御装置の要部概略ブロック図である。
【図１９】図１３のメダル提供システムを構成する管理装置の要部概略ブロック図である。
【図２０】図１３のメダル提供システムの動作を説明するためのシーケンス図である。
【図２１】図１４のメダル貸し機におけるメダルサービスの動作を示すフローチャートである。
【図２２】図１７のメダル預払機におけるメダルサービスの動作を示すフローチャートである。
【図２３】図１９の管理装置におけるメダルサービスの動作を示すフローチャートである。
【図２４】本発明の第３実施形態のメダル提供装置で使用されるメダルサービスデータベースを示す概略図である。
【図２５】本発明の第３実施形態のメダル提供装置の動作の一部を示すフローチャートである。
【図２６】本発明の第４実施形態のメダル提供装置としての機能を有するメダル預払機を示す要部概略ブロック図である。
【発明を実施するための形態】
【００３５】
以下、本発明の実施の形態について、添付図面を参照しながら説明する。
【００３６】
（第１実施形態）
図１は、本発明の第１実施形態のメダル提供装置２１が適用されるゲーム場１の構成を示す。図１に示すように、ゲーム場１には、メダル貸し機１０、メダル提供装置２１が組み込まれたメダル預払機２０、複数のゲーム機３０および管理装置４０が設置されている。メダル預払機２０および管理装置４０は、ＬＡＮ（Local Area Network）５０を介して相互に通信可能に接続されている。後述するように、メダル預払機２０は、メダル提供装置２１の機能を有している。ゲーム場１の利用者は、メダル貸し機１０からメダルＭの貸し出しを受け、そのメダルＭを使用してゲーム機３０でプレイする。利用者は、ゲーム機３０におけるプレイで獲得したメダルＭをメダル預払機２０に預け入れることができる。利用者は、メダル預払機２０に預け入れられたメダルＭの払い出しを受け、そのメダルＭを使用してゲーム機３０でプレイすることもできる。後述するように、メダルサービス券ＰＭを持参した利用者は、メダル提供装置２１から無償でメダルＭの提供を受け、そのメダルＭを使用してゲーム機３０でプレイすることができる。
【００３７】
まず、図２および図３を参照しながら、メダル貸し機１０について説明する。メダル貸し機１０は、現金の支払い額に応じた枚数のメダルＭを貸し出す機能を有する。メダル貸し機１０は、箱形の筐体１００、表示装置１０２、入力装置１０４、紙幣入出金装置１０６、硬貨選別装置１０８、硬貨金庫１１０、メダル払出装置１１２、硬貨払出口１１４、メダル払出口１１６および制御装置１１８を含んでいる。図３に示すように、表示装置１０２、入力装置１０４、紙幣入出金装置１０６および硬貨選別装置１０８は、制御装置１１８に電気的に接続されている。
【００３８】
表示装置１０２は、横長矩形の形状を有し、筐体１００の正面上部に配置される。表示装置１０２は、ドット・マトリクス型ディスプレイや液晶ディスプレイにより構成される。表示装置１０２には、各種ガイド情報が表示される。
【００３９】
入力装置１０４は、横長矩形の形状を有し、表示装置１０２の下方に配置される。入力装置１０４は、ドット・マトリクス型ディスプレイや液晶ディスプレイと組み合わせられたタッチパネルで構成される。入力装置１０４には複数の操作ボタン（図示せず）が表示され、利用者が所望の操作ボタンにタッチすることにより、メダルＭの払出数を指定することができる。
【００４０】
紙幣入出金装置１０６は、筐体１００の内部に組み込まれ、表示装置１０２の下方右側に配置された紙幣投入口１２０および紙幣払出口１２２を備えている。紙幣入出金装置１０６は、紙幣投入口１２０に投入された紙幣の真偽および金種を判別し、正貨と判別された紙幣を金種別に紙幣収納庫（図示せず）に受け入れると共に、偽貨として判別された紙幣および判別不能な紙幣を紙幣投入口１２０に戻す。また、紙幣入出金装置１０６は、入力装置１０４の操作ボタンの操作により設定されたメダル払出数に対応する金額が紙幣投入口１２０に投入された紙幣の額面よりも低額の場合、紙幣収納庫に収納された紙幣を釣り紙幣として紙幣払出口１２２へ払い出す。
【００４１】
硬貨選別装置１０８は、筐体１００の内部に組み込まれ、紙幣入出金装置１０６の下方に配置されている。硬貨選別装置１０８は、硬貨投入口１２４および硬貨返却レバー１２６を備えている。硬貨選別装置１０８は、硬貨投入口１２４に投入された硬貨の真偽および金種を判別し、正貨と判別された硬貨を金種別の硬貨金庫１１０に貯留し、偽貨と判別された硬貨を硬貨払出口１１４に払い出す。硬貨返却レバー１２６は、硬貨投入口１２４に投入された硬貨を返却する場合に使用される。硬貨返却レバー１２６が操作されると、硬貨選別装置１０８内に保留されている硬貨が硬貨払出口１１４に払い出される。
【００４２】
メダル払出装置１１２は、筐体１００の内部に組み込まれ、入力装置１０４の下方左側に配置されている。メダル払出装置１１２は、メダルＭを貯留するメダル貯留容器（図示せず）にばら積み状態で貯留されたメダルＭを一枚ずつ分離し、メダル払出口１１６に払い出す。
【００４３】
制御装置１１８は、筐体１００内の上部に配置され、メダル貸し機１０の全体の動作を制御する。利用者が紙幣入出金装置１０６の紙幣投入口１２０に紙幣を投入した場合、紙幣入出金装置１０６は紙幣入金額に対応する紙幣入金信号を制御装置１１８に出力する。制御装置１１８は、紙幣入金信号に対応する紙幣入金額に応じて表示装置１０２に紙幣入金額を表示させると共に、操作ボタンを入力装置１０４に表示させる。利用者が操作ボタンを操作することにより、メダル払出数に応じたメダル貸出金額が指定され、入力装置１０４がメダル貸出金額に対応するメダル貸出金額信号を制御装置１１８に出力する。制御装置１１８は、メダル貸出金額と紙幣入金額とを対比し、紙幣入金額がメダル貸出金額を上回る場合には、紙幣入金額とメダル貸出金額の差額に対応する紙幣釣銭信号を紙幣入出金装置１０６に出力すると共に、メダル貸出金額に応じたメダル枚数のメダル払出信号をメダル払出装置１１２に出力する。これにより、紙幣入出金装置１０６が釣り紙幣を紙幣払出口１２２から払い出す。また、メダル払出装置１１２がメダル貸出金額に応じた枚数のメダルＭを払い出す。利用者が硬貨選別装置１０８の硬貨投入口１２４に硬貨を投入した場合、硬貨選別装置１０８が投入された硬貨の金種および枚数に応じて硬貨入金信号を制御装置１１８に出力する。制御装置１１８は、硬貨入金信号に対応する硬貨入金額に応じて表示装置１０２に硬貨入金額を表示させると共に、操作ボタンを入力装置１０４に表示させる。利用者が操作ボタンを操作することにより、メダル払出数に応じたメダル貸出金額が指定され、入力装置１０４がメダル貸出金額に対応するメダル貸出金額信号を制御装置１１８に出力する。制御装置１１８は、メダル貸出金額に応じたメダル払出数のメダル払出信号をメダル払出装置１１２に出力する。これにより、メダル払出装置１１２がメダル貸出金額に応じた枚数のメダルＭを払い出す。
【００４４】
次に、図４〜図６を参照しながら、メダル預払機２０について説明する。メダル預払機２０は、ゲーム場１の会員利用者（予めゲーム場１に会員登録した利用者）のメダルＭを預け入れる機能と預け入れられたメダルＭを払い出す機能とを有すると共に、メダル提供装置２１としての機能を有している。
【００４５】
図４に示すように、メダル預払機２０は、箱形の筐体２００、液晶表示パネル等により構成された表示装置２０２、表示装置２０２と共に入力装置２０４を構成するタッチパネル２０６、利用者の手を載置する載置台２０８を有する生体情報取得装置２１０、生体情報認証装置２１１、メダルを投入するメダル投入口２１２、メダル計数装置２１４、メダル回収容器２１６、メダル貯留容器２１８、メダル払出装置２２０、メダル払出口２２２、二次元コード読取装置２２４、制御装置２２８および通信装置２３０を含んで構成されている。図５に示すように、表示装置２０２、入力装置２０４、生体情報取得装置２１０、生体情報認証装置２１１、メダル計数装置２１４、メダル払出装置２２０、二次元コード読取装置２２４および通信装置２３０は、制御装置２２８に電気的に接続されている。メダル預払機２０において、表示装置２０２、入力装置２０４、生体情報取得装置２１０、生体情報認証装置２１１、メダル計数装置２１４、メダル払出装置２２０、制御装置２２８および通信装置２３０によりメダル預払機２０としての処理が実行される。他方、メダル預払機２０において、図５に示すように、メダル払出装置２２０、二次元コード読取装置２２４および制御装置２２８によりメダル提供装置２１が構成される。
【００４６】
表示装置２０２は、横長矩形の形状を有し、筐体２００の正面上部に配置されている。表示装置２０２には、各種情報が表示されると共に、適宜に選択ボタンや数字ボタン等の操作ボタン２０７が表示される。例えば、メダル払出／メダル預入／メダルサービスのいずれか一つを選択するための選択ボタンが表示される。また、予め登録された会員利用者を識別する会員利用者識別情報としての会員利用者識別番号ＵＮを入力するための数字ボタンが表示され、メダル払出数Ｎｄｓを入力するための数字ボタンが表示される。表示装置２０２の表面にはタッチパネル２０６が重ね合わせられており、操作ボタン２０７の表示に伴い、表示装置２０２およびタッチパネル２０６により入力装置２０４が構成される。操作ボタン２０７として選択ボタンが表示された場合、会員利用者が選択ボタンを操作することにより、メダル預払機２０における所定の動作を指定することができる。例えば、メダル預払機２０としてのメダルの預け入れ動作または払い出し動作を選択することができる。また、操作ボタン２０７として数字ボタンが表示された場合、会員利用者が数字ボタンを操作することにより、後述の会員利用者識別番号ＵＮおよびメダル払出数Ｎｄｓを入力することができる。
【００４７】
生体情報取得装置２１０は、載置台２０８に載置された利用者の手（掌や指）の静脈パターンを検出して生体情報ＢＩとして取得する。取得された生体情報ＢＩは、制御装置２２８を介して生体情報認証装置２１１に入力される。生体情報認証装置２１１は、生体情報ＢＩと後述する管理装置４０において会員利用者毎に登録された登録生体情報ＲＢＩとを比較し、静脈パターンが一致する否かを判定する。判定結果は、生体情報認証装置２１１から制御装置２２８に出力される。
【００４８】
メダル投入口２１２は、会員利用者がメダルＭを預け入れる場合に使用される。メダル計数装置２１４は、メダル投入口２１２の下方に配置され、メダル投入口２１２に投入されたメダルＭを計数する。メダル計数値は、メダル計数装置２１４から出力され、制御装置２２８に入力される。換言すれば、メダル預入数Ｎｄｐが制御装置２２８に入力される。メダル回収容器２１６は、メダル計数装置２１４の下方に配置され、メダル計数装置２１４により計数されたメダルＭを貯留する。メダル回収容器２１６に貯留されたメダルＭは、ゲーム場の営業が終了したときにゲーム場の店員により回収される。
【００４９】
メダル払出装置２２０は、メダル貯留容器（図示せず）にばら積み状態で貯留されたメダルＭを一つずつ分離してメダル払出口２２２に払い出すと共に、払い出したメダル数を計数する。メダル計数値は、メダル払出装置２２０から制御装置２２８に出力される。
【００５０】
二次元コード読取装置２２４は、筐体２００の右側方に配置され、メダルサービスを行う場合に使用される。二次元コード読取装置２２４は、図１に示すメダルサービス券ＰＭに印刷されたメダルサービス用二次元コードＭＳＣおよびカードＣＤに印刷された利用者識別用二次元コードＵＣを光学的に読み取る機能を有している。メダルサービス券ＰＭは、例えば、雑誌や新聞等の紙媒体に印刷されており、会員利用者のみならず、非会員利用者がメダルサービスを利用できるようにしたものである。メダルサービス用二次元コードＭＳＣは、メダルサービスに関する情報（以下、メダルサービス情報ＭＳＩという）を含んでいる。換言すれば、メダルサービス券ＰＭは、メダルサービス情報ＭＳＩが記録された記録媒体として機能する。メダルサービス情報ＭＳＩは、図９に示すように、メダルサービス識別情報ＭＩＤ、メダル提供枚数ＭＮおよびメダル提供許容回数ＭＳＭを含んでいる。二次元コード読取装置２２４は、会員利用者または非会員利用者が所持するカードＣＤに印刷された利用者識別用二次元コードＵＣを光学的に読み取る機能も有している。カードＣＤとしては、利用者が所持するポイントカードなどのゲーム場１以外で発行されたカードを使用できる。そのため、ゲーム場１で会員登録されていない利用者もメダルサービスを受けることができる。利用者識別用二次元コードＵＣは、メダルサービスを受ける利用者を特定可能な利用者識別情報ＵＩＤを含んでいる。利用者識別情報ＵＩＤは、カードＣＤ毎に異なる固有の識別情報である。換言すれば、カードＣＤは、利用者識別情報ＵＩＤが記録された記録媒体として機能する。二次元コード読取装置２２４は、利用者がメダルサービス券ＰＭを翳すことによりメダルサービス情報ＭＳＩを取得し、利用者がカードＣＤを翳すことにより利用者識別情報ＵＩＤを取得する。換言すれば、二次元コード読取装置２２４は、メダルサービス情報ＭＳＩおよび利用者識別情報ＵＩＤを取得する情報取得手段として機能する。二次元コード読取装置２２４は、取得した情報を制御装置２２８に出力する。
【００５１】
制御装置２２８は、図６に示すように、主制御部２４２、メダルサービス制御部２４４および記憶部２４６を含んでいる。主制御部２４２は、表示装置２０２に各種情報および操作ボタン２０７を表示させると共に、生体情報取得装置２１０および生体情報認証装置２１１の動作を制御する。すなわち、主制御部２４２は、会員利用者識別番号ＵＮを入力するための操作ボタン２０７を表示装置２０２に表示させる。会員利用者識別番号ＵＮが入力装置２０４に入力された場合、主制御部２４２は当該会員利用者識別番号ＵＮを管理装置４０に送信するよう通信装置２３０を制御する。生体情報取得装置２１０により会員利用者の生体情報ＢＩが取得された場合、主制御部２４２は当該生体情報を後述する記憶部２４６の生体情報保持部２８２に格納する。当該会員利用者識別番号ＵＮに対応する登録生体情報ＲＢＩを通信装置２３０が受信した場合、主制御部２４２は当該登録生体情報ＲＢＩおよび生体情報保持部２８２に保持された生体情報ＢＩを生体情報認証装置２１１に出力する。生体情報認証装置２１１における判定結果は、主制御部２４２に出力される。
【００５２】
また、主制御部２４２は、入力装置２０４により入力されたメダル払出／メダル預入／メダルサービスのいずれか一を選択する選択情報に基づき、メダル払出装置２２０、メダル計数装置２１４および二次元コード読取装置２２４の動作を制御する。すなわち、生体情報認証装置２１１で認証され且つメダル払出が選択された場合、主制御部２４２が表示装置２０２にメダル払出数Ｎｄｓを入力するための操作ボタン２０７を表示させる。主制御部２４２は、入力装置２０４に入力されたメダル払出数ＮｄｓのメダルＭを払い出すようメダル払出装置２２０を動作させると共に、メダル払出数Ｎｄｓの減算要求を管理装置４０に送信するよう通信装置２３０を制御する。他方、生体情報認証装置２１１で認証され且つメダル預入が選択された場合、主制御部２４２は、メダル計数装置２１４を動作させてメダル預入数Ｎｄｐを計数させると共に、メダル預入数Ｎｄｐの加算要求を管理装置４０に送信するよう通信装置２３０を制御する。また、メダルサービスが選択された場合、主制御部２４２はメダルサービス制御部２４４と協働してメダルサービス処理を実行する。すなわち、主制御部２４２は、二次元コード読取装置２２４を動作させ、二次元コード読取装置２２４から出力される情報をメダルサービス制御部２４４に出力する。主制御部２４２は、メダルサービス制御部２４４から出力されたメダルサービス実行情報ＭＳＥＩに基づいてメダル払出装置２２０を動作させる。
【００５３】
メダルサービス制御部２４４は、情報識別部２６２、メダルサービス受付情報生成部２６４、メダルサービス履歴情報検索部２６６、メダルサービス可否判定部２６８、メダルサービス実行部２７０およびメダルサービス履歴情報更新部２７２を含んでいる。情報識別部２６２は、主制御部２４２から出力された情報が利用者識別情報ＵＩＤまたはメダルサービス情報ＭＳＩであるかを識別し、識別された利用者識別情報ＵＩＤを後述する利用者識別情報保持部２８４に格納すると共に、メダルサービス情報ＭＳＩを後述するメダルサービス情報保持部２８６に格納する。メダルサービス受付情報生成部２６４は、メダルサービス情報保持部２８６に保持されたメダルサービス情報ＭＳＩと利用者識別情報保持部２８４に保持された利用者識別情報ＵＩＤとの組み合わせからなるメダルサービス受付情報ＭＳＲＩを生成する。メダルサービス履歴情報検索部２６６は、後述するメダルサービス履歴情報保持部２８８に保持された個々のメダルサービス履歴情報ＭＳＨＩを含むメダルサービスデータベースＭＳＤＢを検索し、メダルサービス受付情報生成部２６４により生成されたメダルサービス受付情報ＭＳＲＩ（換言すれば、二次元コード読取装置２２４によって取得されたメダルサービス情報ＭＳＩおよび利用者識別情報ＵＩＤの組み合わせ）に対応するメダルサービス履歴情報ＭＳＩの存在を確認する。メダルサービス可否判定部２６８は、メダルサービス履歴情報検索部２６６によって検索されたメダルサービス履歴情報ＭＳＨＩに基づいてメダルサービスの実行（換言すれば、メダルＭの払い出し）の可否を判定する。図９に示すように、メダルサービスデータベースＭＳＤＢには、個々のメダルサービス履歴情報ＭＳＨＩを含んでいる。メダルサービス履歴情報ＭＳＨＩは、メダルサービス受付情報ＭＳＲＩに対応して既にメダルサービスが実行されたことを示す。メダルサービス履歴情報ＭＳＨＩは、メダルサービス受付情報ＭＳＲＩとメダル提供回数ＭＳＮとにより構成される。メダル提供回数ＭＳＮは、メダルサービス受付情報ＭＳＲＩに対応してメダルサービスが実行された回数を示す。例えば、図９の最上段のメダルサービス履歴情報ＭＳＨＩでは、メダル識別情報ＭＩＤが「００００１」、メダル提供枚数ＭＮが「５０」、メダル提供許容回数ＭＳＭが「２」のメダルサービス情報ＭＳＩに基づいて、利用者識別情報ＵＩＤが「００００１」の利用者に対してメダルサービスが「１回」（メダル提供回数ＭＳＮ）実行されたことが示されている。この場合のメダル提供許容数ＭＳＭが「２」であるため、メダル提供識別情報ＭＩＤが「００００１」のメダルサービスを利用者識別情報ＵＩＤが「００００１」の利用者に対して、さらに「１回」実行可能であることが分かる。このように、メダルサービス履歴情報ＭＳＨＩを参照することにより、メダルサービスの実行の可否が判定できる。
【００５４】
すなわち、メダルサービス受付情報ＭＳＲＩに対応するメダルサービス履歴情報ＭＳＨＩがメダルサービスデータベースＭＳＤＢに存在しない場合（換言すれば、メダルサービス情報ＭＳＩおよび利用者識別情報ＵＩＤの組み合わせに対応するメダルサービス履歴情報ＭＳＨＩが記憶部２４６のメダルサービス履歴情報保持部２８８に保持されていない場合）、メダルサービス可否判定部２６８はメダルサービスの実行が可能と判定し、メダルサービス実行部２７０にメダルサービスの実行を許可するメダルサービス許可情報ＭＳＰＩを出力する。メダルサービス受付情報ＭＳＲＩに対応するメダルサービス履歴情報ＭＳＨＩがメダルサービスデータベースＭＳＤＢに存在する場合（換言すれば、メダルサービス情報ＭＳＩおよび利用者識別情報ＵＩＤの組み合わせに対応するメダルサービス履歴情報ＭＳＨＩが記憶部２４６のメダルサービス履歴情報保持部２８８に保持されている場合）、メダルサービス可否判定部２６８はメダルサービス履歴情報ＭＳＨＩのメダル提供回数ＭＳＮとメダルサービス情報ＭＳＩのメダル提供許容回数ＭＳＭとを対比することによりメダルサービスの実行の可否を判定する。すなわち、メダル提供回数ＭＳＮがメダル提供許容回数ＭＳＭを下回る場合（換言すれば、メダル提供回数ＭＳＮがメダル提供許容回数ＭＳＭに達するまでは）、メダルサービス可否判定部２６８はメダルサービスの実行が可能と判定し、メダルサービス実行部２７０にメダルサービスの実行を許可するメダルサービス許可情報ＭＳＰＩを出力する。メダル提供回数ＭＳＮがメダル提供許容回数ＭＳＭ以上である場合（換言すれば、メダル提供回数ＭＳＮがメダル提供許容回数ＭＳＭに達した後は）、メダルサービス可否判定部２６８はメダルサービスの実行が不可と判定し、メダルサービス実行部２７０にメダルサービスの実行を禁止するメダルサービス禁止情報ＭＳＩＩを出力する。メダルサービス実行部２７０は、メダルサービスを実行しまたは実行しない。すなわち、メダルサービス実行部２７０にメダルサービス許可情報ＭＳＰＩが入力された場合、メダルサービス実行部２７０はメダルサービス情報保持部２８６に保持されたメダルサービス情報ＭＳＩに含まれるメダル提供枚数（メダルＭの提供数）ＭＮの払い出しを指示するメダル払出情報ＭＤＩを主制御部２４２に出力する。他方、メダルサービス実行部２７０にメダルサービス禁止情報ＭＳＩＩが入力された場合、メダルサービス実行部２７０はメダルサービス不可の表示を指示するメダルサービス不可表示情報ＭＳＤＩを主制御部２４２に出力する。メダルサービス履歴情報更新部２７２は、メダルサービス可否判定部２６８の判定結果に基づいてメダルサービス履歴情報ＭＳＨＩを更新する。すなわち、メダルサービス受付情報ＭＳＲＩに対応するメダルサービス履歴情報ＭＳＨＩがメダルデータベースＭＳＤＢに存在しない場合（換言すれば、メダルサービス情報ＭＳＩおよび利用者識別情報ＵＩＤの組み合わせに対応するメダルサービス履歴情報ＭＳＨＩが記憶部２４６のメダルサービス履歴情報保持部２８８に保持されていない場合）、メダルサービス受付情報生成部２６４により生成されたメダルサービス受付情報ＭＳＲＩ（換言すれば、二次元コード読取装置２２４によって取得されたメダルサービス情報ＭＳＩおよび利用者識別情報ＵＩＤの組み合わせ）に対応するメダルサービス履歴情報ＭＳＨＩをメダルサービスデータベースＭＳＤＢに追加して、メダルサービス履歴情報ＭＳＨＩを更新する。この場合、メダル提供数ＭＳＮに「１」が設定される。メダルサービス受付情報ＭＳＲＩに対応するメダルサービス履歴情報ＭＳＨＩがメダルサービスデータベースＭＳＢＤに存在し（換言すれば、メダルサービス情報ＭＳＩおよび利用者識別情報ＵＩＤの組み合わせに対応するメダルサービス履歴情報ＭＳＨＩが記憶部２４６のメダルサービス履歴情報保持部２８８に保持されていて）、メダル提供回数ＭＳＮがメダル提供許容回数ＭＳＭを下回る場合、メダルサービス受付情報ＭＳＲＩ（すなわち、メダルサービス情報ＭＳＩおよび利用者識別情報ＵＩＤの組み合わせ）に対応するメダルサービス履歴情報ＭＳＨＩのメダル提供回数ＭＳＮに「１」を加算した値でメダル提供回数ＭＳＮを更新する。換言すれば、メダルサービス受付情報ＭＳＲＩに対応するメダルサービス（すなわち、メダルサービス情報ＭＳＩおよび利用者識別情報ＵＩＤの組み合わせに対応するメダルＭの提供）が実行される毎に、メダルサービス受付情報ＭＳＲＩ（換言すれば、メダルサービス情報ＭＳＩおよび利用者識別情報ＵＩＤの組み合わせ）に対応するメダルサービス履歴情報ＭＳＨＩが追加され、または、メダル提供回数ＭＳＮが更新されることにより、メダルサービス履歴情報ＭＳＨＩ（換言すれば、メダルサービスデータベースＭＳＤＢ）が更新される。
【００５５】
記憶部２４６は、生体情報保持部２８２、利用者識別情報保持部２８４、メダルサービス情報保持部２８６およびメダルサービス履歴情報保持部２８８を含んでいる。生体情報保持部２８２は、主制御部２４２から出力された生体情報ＢＩを保持する。利用者識別情報保持部２８４は、情報識別部２６２により識別された利用者識別情報ＵＩＤを保持する。メダルサービス情報保持部２８６は、情報識別部２６２により識別されたメダルサービス情報ＭＳＩを保持する。メダルサービス履歴情報保持部２８８は、メダルサービス履歴情報更新部２７２により更新された、メダルサービス情報ＭＳＩおよび利用者識別情報ＵＩＤの組み合わせ（換言すれば、メダルサービス受付情報ＭＳＲＩ）に対応するメダルサービス履歴情報ＭＳＨＩを保持する。図９に示すように、メダルメダルサービス履歴情報ＭＳＨＩは、メダルサービス情報ＭＳＩおよび利用者識別情報ＵＩＤの組み合わせとメダル提供回数ＭＳＮとを含んでいる。利用者識別情報保持部２８４、メダルサービス情報保持部２８６およびメダルサービス履歴情報保持部２８８は、メダルサービスに関する情報を保持するメダルサービス用情報保持部２４８を構成する。
【００５６】
通信装置２３０は、ＬＡＮ５０を介して管理装置４０に通信可能に接続され、制御装置２２８の主制御部２４２により制御される。生体情報取得装置２１０により会員利用者の生体情報ＢＩが取得された場合、取得された生体情報ＢＩを管理装置４０に送信する。管理装置４０から登録生体情報ＲＢＩが送信された場合、通信装置２３０が当該登録生体情報ＲＢＩを受信する。通信装置２３０は、受信した登録生体情報ＲＢＩを生体情報認証装置２１１に出力する。
【００５７】
次に、図７を参照しながら、管理装置４０について説明する。管理装置４０は、会員利用者の登録生体情報ＲＢＩおよび登録メダル数Ｎｒｇを会員利用者識別番号ＵＮに関連付けて管理する。管理装置４０は、入力部４０１、表示部４０２、通信インターフェース４０３、制御部４０４、データ処理部４０５および記憶部４０６を含んで構成される。管理装置４０は、ＣＰＵ、メモリ、ハードディスクなどを有する一般的なコンピュータ装置により実現することができる。その場合、例えば、入力部４０１はキーボード、表示部４０２は液晶ディスプレイ、通信インターフェース４０３はイーサーネット・インターフェースによってそれぞれ構成することができる。制御部４０４およびデータ処理部４０５は、ＣＰＵおよびメモリによって構成することができる。記憶部４０６は、ハードディスクドライブによって構成することができる。
【００５８】
制御部４０４は、入力部４０１、表示部４０２および通信インターフェース４０３を制御すると共に、データ処理部４０５および記憶部４０６におけるデータの入出力を制御する。通信インターフェース４０３はＬＡＮ５０に接続されており、管理装置４０はメダル預払機２０と通信可能に接続される。
【００５９】
データ処理部４０５は生体情報検索部４１２、登録メダル数演算部４１４および登録メダル数更新部４１６を含み、記憶部４０６は登録生体情報保持部４２２および登録メダル数保持部４２４を含んでいる。登録生体情報保持部４２２には、図８に示すように、会員利用者識別番号ＵＮに関連付けて登録生体情報ＲＢＩが保持されている。登録生体情報ＲＢＩは、メダル預払機２０において利用者が入力装置２０４および生体情報取得装置２１０を用いて予め利用者毎に登録された生体情報である。記憶部４０６の登録メダル数保持部４２４には、会員利用者識別番号ＵＮに関連付けて登録メダル数Ｎｒｇが保持されている。登録メダル数Ｎｒｇは、メダル預払機２０におけるメダルＭの預け入れまたは払い出しによって増減するメダル数であり、利用者はこの登録メダル数Ｎｒｇを上限値としてメダルＭの払い出しをすることができる。
【００６０】
生体情報検索部４１２は、メダル預払機２０から送信された会員利用者識別番号ＵＮに基づき、それに対応する登録生体情報ＲＢＩを検索する。検索の結果、当該会員利用者識別番号ＵＮに関連付けられた登録生体情報ＲＢＩが存在する場合、制御部４０４が当該登録生体情報ＲＢＩをメダル預払機２０に送信する。登録生体情報ＲＢＩが存在しない場合、制御部４０４がエラー情報をメダル預払機２０に送信する。
【００６１】
登録メダル数演算部４１４は、メダル預払機２０から送信されたメダル数減算要求またはメダル数加算要求に基づき登録メダル数Ｎｒｇにおける減算または加算する処理を実行する。すなわち、メダル預払機２０においてメダルＭの払い出しが行われる場合には、登録メダル数Ｎｒｇからメダル払出数Ｎｄｓを減算する。他方、メダル預払機２０においてメダルＭの預入が行われる場合には、登録メダル数Ｎｒｇにメダル預入数Ｎｄｐを加算する。登録メダル数更新部４１６は、登録メダル数演算部４１４で減算または加算されたメダル数を新たな登録メダル数Ｎｒｇとして登録メダル数保持部４２４に保持させる。これにより、登録メダル数Ｎｒｇが更新される。
【００６２】
次に、図１０〜図１２を参照しながら、メダル預払機２０の動作について説明する。
【００６３】
最初に、ステップＳ１においてメダル預入、メダル払出およびメダルサービスのいずれか一つの動作が利用者により選択される。すなわち、制御装置２２８の主制御部２４２が表示装置２０２に払出／預入／サービスの操作ボタン２０７を表示させた状態で、利用者がいずれかの操作ボタン２０７に触れることにより、入力装置２０４が払出／預入／サービス選択情報を制御装置２２８の主制御部２４２に出力する。なお、利用者が非会員利用者の場合には、メダル預入およびメダル払出は利用できず、メダルサービスのみが利用可能である。
【００６４】
次のステップＳ２では、メダル払出であるか否かが判定される。すなわち、制御装置２２８の主制御部２４２が入力装置２０４から出力された払出／預入／サービス選択情報に基づき、メダル払出動作であるか否かを判定する。メダル払出であると判定された場合にはステップＳ３に進み、それ以外の場合にはステップＳ１１に進む。換言すれば、ステップＳ１において、メダル払出の操作ボタン２０７が操作された場合にステップＳ３が実行され、メダル預入またはメダルサービスの操作ボタン２０７が操作された場合には、ステップＳ１２が実行される。
【００６５】
次のステップＳ３では、会員利用者識別番号ＵＮが受け付けられる。すなわち、制御装置２２８の主制御部２４２が表示装置２０２に「数字」の操作ボタン２０７を表示させた状態で、利用者が表示された操作ボタン２０７に触れることにより、入力装置２０４を介して会員利用者識別番号ＵＮが入力される。入力装置２０４は、入力された会員利用者識別番号ＵＮを制御装置２２８の主制御部２４２に出力する。
【００６６】
次のステップＳ４では、会員利用者の生体情報が利用者の生体情報ＢＩが取得される。すなわち、制御装置２２８の主制御部２４２が表示装置２０２に利用者に対して載置台２０８に手の載置を促す情報を表示させ、生体情報取得装置２１０が載置台２０８に手が載置された状態を自動的に検出して画像を取得する。生体情報取得装置２１０は、取得された画像に基づいて生体情報取得し、当該生体情報を制御装置２２８の主制御部２４２に出力する。主制御部２４２は、入力された生体情報を記憶部２４６の生体情報保持部２８２に格納する。
【００６７】
次のステップＳ５では、登録生体情報転送要求が管理装置４０に送信される。すなわち、制御装置２２８の主制御部２４２が通信装置２３０を制御し、通信装置２３０が登録生体情報転送要求を管理装置４０に送信する。登録生体情報転送要求には、ステップＳ３で受け付けた会員利用者識別番号ＵＮが含まれている。
【００６８】
次のステップＳ６では、登録生体情報ＲＢＩを受信する。すなわち、制御装置２２８の主制御部２４２が登録生体情報ＲＢＩを受信するよう通信装置２３０を制御する。上述した通り、登録生体情報転送要求を受信した管理装置４０が会員利用者識別番号ＵＮに関連付けられた登録生体情報ＲＢＩをメダル預払機２０に送信する。そのため、ステップＳ６では、ステップＳ３で受け付けた会員利用者識別番号ＵＮに対応する登録生体情報ＲＢＩが受信される。受信された登録生体情報ＲＢＩは、通信装置２３０から制御装置２２８の主制御部２４２に出力される。
【００６９】
次のステップＳ７では、生体情報認証が実行される。すなわち、制御装置２２８の主制御部２４２が、ステップＳ６で受信した登録生体情報ＲＢＩおよび記憶部２４６の生体情報保持部２８２に保持された生体情報ＢＩを生体情報認証装置２１１に出力する。生体情報認証装置２１１は、制御装置２２８の主制御部２４２から出力された登録生体情報ＲＢＩおよび生体情報ＢＩのマッチングを実行し、マッチングの結果に基づき認証するか否かを判定する。判定結果は、生体情報認証装置２１１から制御装置２２８の主制御部２４２に出力される。
【００７０】
次のステップＳ８では、認証に成功したか否かが判定される。すなわち、制御装置２２８の主制御部２４２が生体情報認証装置２１１による判定結果に基づき、認証に成功したか否かを判定する。認証が成功したと判定された場合にはステップＳ９に進み、認証に失敗したと判定された場合にはステップＳ３に戻り、ステップＳ３〜Ｓ８の処理が繰り返し実行される。
【００７１】
次のステップＳ９では、メダル払出数Ｎｄｓが受け付けられる。すなわち、制御装置２２８の主制御部２４２が表示装置２０２に「数字」の操作ボタン２０７を表示させた状態で会員利用者が表示された操作ボタン２０７に触れることにより、入力装置２０４にメダル払出数Ｎｄｓが入力される。入力されたメダル払出数Ｎｄｓは、入力装置２０４から制御装置２２８の主制御部２４２に出力される。
【００７２】
次のステップＳ１０では、メダルＭが払い出される。すなわち、制御装置２２８の主制御部２４２がメダル払出装置２２０を制御することにより、ステップＳ９で受け付けたメダル払出数ＮｄｓのメダルＭがメダル払出口２２２に払い出される。
【００７３】
次のステップＳ１１では、登録メダル数減算要求が管理装置４０に送信される。すなわち、制御装置２２８の主制御部２４２が通信装置２３０を制御し、通信装置２３０がメダル払出数Ｎｄｓを登録メダル数Ｎｒｇから減算する登録メダル数減算要求が送信される。その後、ステップＳ１に戻る。
【００７４】
ステップＳ２においてメダル払出でないと判定された場合に実行されるステップＳ１２では、メダル預入のであるか否かが判定される。すなわち、制御装置２２８の主制御部２４２が入力装置２０４から出力された払出／預入／サービス選択情報に基づき、メダル預入動作であるか否かを判定する。メダル預入であると判定された場合にはステップＳ１３に進み、メダル預入でないと判定された場合には図１１のステップＳ２１に進む。換言すれば、ステップＳ１において、メダル払出の操作ボタン２０７が操作された場合にステップＳ１３が実行され、メダルサービスの操作ボタン２０７が操作された場合にはステップＳ２１が実行される。
【００７５】
ステップＳ１３、Ｓ１４、Ｓ１５、Ｓ１６、Ｓ１７およびＳ１８では、ステップＳ３、Ｓ４、Ｓ５、Ｓ６、Ｓ７およびＳ８と同じ処理が実行される。ステップＳ１８において、認証が成功したと判定された場合にはステップＳ１９に進み、認証に失敗したと判定された場合にはステップＳ１３に戻り、ステップＳ１３〜Ｓ１８の処理が繰り返し実行される。
【００７６】
ステップＳ１９では、メダル枚数が計数される。すなわち、会員利用者がメダル投入口２１２にメダルＭを投入することにより、投入されたメダルＭの枚数がメダル計数装置２１４により計数される。メダルＭの計数値は、メダル預入数Ｎｄｐとして制御装置２２８の主制御部２４２に出力される。
【００７７】
次のステップＳ２０では、登録メダル数加算要求が管理装置４０に送信される。すなわち、制御装置２２８の主制御部２４２が通信装置２３０を制御し、通信装置２３０がメダル預入数Ｎｄｐを登録メダル数Ｎｒｇに加算する登録メダル数加算要求を送信する。その後、ステップＳ１に戻る。
【００７８】
ステップＳ１２においてメダル払出でないと判定された場合には、メダルサービスが実行される。まず、ステップＳ２１では、二次元コード読取装置２２４によって二次元コードが読み取られたか否かが判定される。すなわち、制御装置２２８の主制御部２４２が二次元コード読取装置２２４を制御し、二次元コードが読み取られたと判定された場合には次のステップＳ２２に進み、二次元コードが読み取られていないと判定された場合にはステップＳ２１が繰り返し実行される。換言すれば、二次元コード読取装置２２４により二次元コードが読み取られるまでは待機状態となる。二次元コードが読み取られた場合、制御装置２２８の主制御部２４２が二次元コード読取装置２２４から出力された情報をメダルサービス制御部２４４に出力する。
【００７９】
次のステップＳ２２では、制御装置２２８の主制御部２４２から出力された情報が利用者識別情報ＵＩＤであるか否かが判定される。すなわち、メダルサービス制御部２４４の情報識別部２６２が、二次元コード読取装置２２４により取得された情報が利用者識別情報ＵＩＤであるかを識別する。利用者識別情報ＵＩＤであると識別された場合にはステップＳ２３に進み、それ以外の場合にはステップＳ２８に進む。
【００８０】
ステップＳ２３では、利用者識別情報ＵＩＤが格納される。すなわち、メダルサービス制御部２４４の情報識別部２６２が、利用者識別情報ＵＩＤを記憶部２４６の利用者識別情報保持部２８４に格納する。その後、次のステップＳ２４に進む。
【００８１】
次のステップＳ２４では、ステップＳ２１と同様に、二次元コード読取装置２２４によって二次元コードが読み取られたか否かが判定される。二次元コードが読み取られたと判定された場合には次のステップＳ２５に進み、二次元コードが読み取られていないと判定された場合にはステップＳ２４が繰り返し実行される。換言すれば、二次元コード読取装置２２４により二次元コードが読み取られるまでは待機状態となる。二次元コードが読み取られた場合、制御装置２２８の主制御部２４２が二次元コード読取装置２２４から出力された情報をメダルサービス制御部２４４に出力する。
【００８２】
次のステップＳ２５では、制御装置２２８の主制御部２４２から出力された情報がメダルサービス情報ＭＳＩであるか否かが判定される。すなわち、メダルサービス制御部２４４の情報識別部２６２が、二次元コード読取装置２２４により取得された情報がメダルサービス情報ＭＳＩであるかを識別する。メダルサービス情報ＭＳＩであると識別された場合にはステップＳ２６に進み、それ以外の場合にはステップＳ２４に戻る。換言すれば、二次元コード読取装置２２４から出力された情報がメダルサービス情報ＭＳＩと識別されるまではステップＳ２４およびＳ２５が繰り返し実行される。
【００８３】
次のステップＳ２６では、メダルサービス情報ＭＳＩが格納される。すなわち、メダルサービス制御部２４４の情報識別部２６２が、メダルサービス情報ＭＳＩを記憶部２４６のメダルサービス情報保持部２８６に格納する。その後、ステップＳ３２に進む。
【００８４】
ステップＳ２２において利用者識別情報ＵＩＤでないと判定された場合に実行されるステップＳ２７では、ステップＳ２１において二次元コード読取装置２２４により取得された情報がメダルサービス情報ＭＳＩであるか否かが判定される。すなわち、メダルサービス制御部２４４の情報識別部２６２が、二次元コード読取装置２２４により取得された情報がメダルサービス情報ＭＳＩであるかを識別する。メダルサービス情報ＭＳＩである場合にはステップＳ２８に進み、メダルサービス情報ＭＳＩでない場合にはステップＳ２１に戻る。
【００８５】
次のステップＳ２８では、ステップＳ２６と同様に、メダルサービス情報ＭＳＩが格納される。
【００８６】
次のステップＳ２９では、ステップＳ２１と同様に、二次元コード読取装置２２４によって二次元コードが読み取られたか否かが判定される。二次元コードが読み取られたと判定された場合には次のステップＳ３０に進み、二次元コードが読み取られていないと判定された場合にはステップＳ２９が繰り返し実行される。換言すれば、二次元コード読取装置２２４により二次元コードが読み取られるまでは待機状態となる。
【００８７】
次のステップＳ３０では、ステップＳ２２と同様に、制御装置２２８の主制御部２４２から出力された情報が利用者識別情報ＵＩＤであるか否かが判定される。利用者識別情報ＵＩＤである場合にはステップＳ３１に進み、利用者識別情報ＵＩＤでない場合にはステップＳ２９に戻る。
【００８８】
次のステップＳ３１では、ステップＳ２３と同様に、利用者識別情報ＵＩＤが格納される。その後、次のステップＳ３２に進む。
【００８９】
ステップＳ３２では、メダルサービス受付情報ＭＳＲＩが生成される。すなわち、メダルサービス制御部２４４のメダルサービス受付情報生成部２６４が記憶部２４６のメダルサービス情報保持部２８６に保持されたメダルサービス情報ＭＳＩおよび利用者識別情報保持部２８４に保持された利用者識別情報ＵＩＤを組み合わせてメダルサービス受付情報ＭＳＲＩを生成する。
【００９０】
次のステップＳ３３では、メダルサービス履歴情報ＭＳＨＩが検索される。すなわち、メダルサービス履歴情報検索部２６６が、ステップＳ３２で生成されたメダルサービス受付情報ＭＳＲＩに対応するメダルサービス履歴情報ＭＳＨＩがメダルサービスデータベースＭＳＤＢに存在するか否かを検索する。換言すれば、メダルサービス履歴情報検索部２６６が、メダルサービス受付情報ＭＳＲＩ（すなわち、メダルサービス情報ＭＳＩおよび利用者識別情報ＵＩＤの組み合わせ）に対応するメダルサービス履歴情報ＭＳＨＩを記憶部２４６のメダルサービス履歴情報保持部２８８に保持されているメダルサービス履歴情報ＭＳＨＩの中から検索する。
【００９１】
次のステップＳ３４では、ステップＳ３３の検索結果に基づき、メダルサービス可否判定部２６８がメダルサービスの実行（換言すれば、無償でのメダルＭの提供）の可否を判定する。より詳細には、図１２に示すように、ステップＳ４１においてメダルサービス履歴情報ＭＳＨＩの有無が判定される。メダルサービス履歴情報ＭＳＨＩは、過去にメダルサービスが実行されたメダルサービス受付情報ＭＳＲＩ（メダルサービス情報ＭＳＩおよび利用者識別情報ＵＩＤの組み合わせ）を含んでいる。そのため、メダルサービス受付情報ＭＳＲＩに対応するメダルサービス履歴情報ＭＳＨＩがメダルサービスデータベースＭＳＤＢに存在する場合、当該メダルサービス受付情報ＭＳＲＩ（メダルサービス情報ＭＳＩおよび利用者識別情報ＵＩＤの組み合わせ）によってメダルサービスが既に提供されていると判断できる。この場合、ステップＳ４３に進み、メダル提供回数ＭＳＮがメダル提供許容回数ＭＳＭ未満であるか否かが判定される。メダル提供回数ＭＳＮがメダル提供許容回数ＭＳＭ未満である場合にはステップＳ４２に進み、それ以外の場合（換言すれば、メダル提供回数ＭＳＮがメダル提供許容回数ＭＳＭに達している場合）にはステップＳ４４に進む。他方、ステップＳ４１においてメダルサービス履歴情報ＭＳＨＩがメダルサービスデータベースＭＳＤＢに存在しないと判定された場合、ステップＳ４２に進む。ステップＳ４２ではメダルサービスの実行が可能と判定され、ステップＳ４４ではメダルサービスの実行が不可と判定される。
【００９２】
メダルサービス可否判定部２６８は、メダルサービスの実行が可能と判定した場合には、メダルサービス実行部２７０にメダルサービスの実行を許可するメダルサービス許可情報ＭＳＰＩを出力する。これにより、図１１のステップＳ３５が実行される。他方、メダルサービス可否判定部２６８は、メダルサービスの実行が不可と判定した場合には、メダルサービス実行部２７０にメダルサービスの実行を禁止するメダルサービス禁止情報ＭＳＩＩを出力する。これにより、ステップＳ３７が実行される。
【００９３】
ステップＳ３５では、メダルサービスが実行される。すなわち、メダルサービス許可情報ＭＳＰＩが入力されたメダルサービス制御部２４４のメダルサービス実行部２７０が、メダルサービス情報保持部２８６に保持されたメダルサービス情報ＭＳＩに含まれるメダル提供枚数（メダルＭの提供数）ＭＮの払い出しを指示するメダル払出情報ＭＤＩが主制御部２４２に出力する。メダル払出情報ＭＤＩが入力された主制御部２４２がメダル払出装置２２０を制御することにより、メダル払出装置２２０がメダル提供枚数ＭＮのメダルＭを払い出す。
【００９４】
次のステップＳ３６では、メダルサービス履歴情報ＭＳＨＩが更新される。すなわち、図１２のステップＳ４１でメダルサービス履歴情報ＭＳＨＩが存在しないと判定され、図１１のステップＳ３５でメダルサービスが実行された場合、メダルサービス制御部２４４のメダルサービス履歴情報更新部２７２が、メダルサービスが実行されたときのメダルサービス受付情報ＭＳＲＩ（換言すれば、メダルサービス情報ＭＳＩおよび利用者識別情報ＵＩＤの組み合わせ）に対応するメダルサービス履歴情報ＭＳＨＩをメダルサービスデータベースＭＳＤＢに追加すると共にメダル提供回数ＭＳＮに「１」を設定する。図１２のステップＳ４１でメダルサービス履歴情報ＭＳＨＩがメダルサービスデータベースＭＳＤＢに存在すると判定され、図１１のステップＳ３５でメダルサービスが実行された場合、メダルサービス制御部２４４のメダルサービス履歴情報更新部２７２が、メダルサービスが実行されたときのメダルサービス受付情報ＭＳＲＩ（換言すれば、メダルサービス情報ＭＳＩおよび利用者識別情報ＵＩＤの組み合わせ）に対応するメダルサービス履歴情報ＭＳＨＩのメダル提供回数ＭＳＮに「１」を加算して、メダルサービス履歴情報ＭＳＨＩを更新する。これにより、メダルサービスデータベースＭＳＤＢのメダルサービス履歴情報ＭＳＨＩを参照すれば、メダルサービス情報ＭＳＩおよび利用者識別情報ＵＩＤの組み合わせに対応するメダルサービスが提供されているか否かを判断できると共に、メダル提供回数ＭＳＮがメダル提供許容回数に達しているか否かを判断することが可能となる。ステップＳ３６の実行後、ステップＳ１に戻る。
【００９５】
ステップＳ３４においてメダルサービスの実行が不可と判定された場合には、ステップＳ３７に進み、メダルサービスが不可である旨を示す情報が表示される。すなわち、メダルサービス禁止情報ＭＳＩＩが入力されたメダルサービス実行部２７０が、メダルサービス不可の表示を指示するメダルサービス不可表示情報ＭＳＤＩを主制御部２４２に出力する。メダルサービス不可表示情報ＭＳＤＩが入力された主制御部２４２が表示装置２０２を制御することにより、表示装置２０２がメダルサービスの実行が不可であることを表示する。
【００９６】
このように、ステップＳ２１〜Ｓ３７、Ｓ４１〜Ｓ４４が実行されることにより、メダルサービス情報ＭＳＩおよび利用者識別情報ＵＩＤの組み合わせに基づいてメダルサービスが実行されたことがメダルサービス履歴情報ＭＳＨＩに記録される。メダルサービス可否判定部２６８は、二次元コード読取装置２２４により取得されたメダルサービス情報ＭＳＩおよび利用者識別情報ＵＩＤの組み合わせに対応するメダルサービス履歴情報ＭＳＨＩが存在するか否か、および、メダル提供回数ＭＳＮがメダル提供許容回数ＭＳＭに達しているか否か、に基づいてメダルサービスの実行の可否を判定する。そして、メダルサービスの実行が可能と判定され、メダルサービスが実行（すなわち、メダルＭの払い出しが実行）された場合、当該メダルサービスの実行に対応するメダルサービス情報ＭＳＩおよび利用者識別情報ＵＩＤの組み合わせに対応するメダルサービス履歴情報ＭＳＨＩがメダルサービスデータベースＭＳＤＢに追加され、または、当該メダルサービス情報ＭＳＩおよび利用者識別情報ＵＩＤの組み合わせに対応するメダル提供回数ＭＳＮに「１」が加算されることによって、メダルサービス履歴情報ＭＳＨＩが更新される。
【００９７】
以上述べた通り、本発明の第１実施形態のメダル提供装置（遊技媒体提供装置）２１では、二次元コード読取装置（情報取得手段）２２４により複数の利用者に共通なメダルサービス情報（遊技媒体提供情報）ＭＳＩおよび複数の利用者のそれぞれを特定可能な利用者識別情報（識別情報）ＵＩＤが取得される。メダルサービス情報ＭＳＩおよび利用者識別情報ＵＩＤが取得された場合、当該利用者識別情報ＵＩＤに基づいてメダル（遊技媒体）Ｍを提供する利用者を特定し、特定された利用者に対して当該メダルサービス情報ＭＳＩに対応するメダルＭの提供の可否がメダルサービス可否判定部（遊技媒体提供可否判定手段）２６８により判定される。そして、メダルサービス可否判定部２６８の判定結果に基づいてメダルサービス情報ＭＳＩに含まれるメダルＭの提供数ＭＮに応じたメダルＭの提供がメダル払出装置（遊技媒体提供手段）２２０により行われる。そのため、提供すべきメダル数ＭＮを店舗毎に設定する必要がない。
【００９８】
また、メダルＭの提供がなされた場合、当該メダルＭの提供に対応するメダルサービス情報ＭＳＩおよび利用者識別情報ＵＩＤの組み合わせに基づいてメダルＭが提供されたことを示すと共に当該組み合わせによりメダルＭの提供が実行される毎に加算されるメダル提供回数（計数値）ＭＳＮを示すメダルサービス履歴情報（遊技媒体提供履歴情報）ＭＳＨＩがメダルサービス履歴情報保持部（情報記憶手段）２８８に保持される。メダルサービス情報ＭＳＩはメダルＭの提供を実行可能なメダル提供許容回数（遊技媒体提供許容回数）ＭＳＭをさらに含み、メダルサービス可否判定部２６８は、二次元コード読取装置２２４により取得されたメダルサービス情報ＭＳＩおよび利用者識別情報ＵＩＤの組み合わせに対応するメダルサービス履歴情報ＭＳＨＩがメダルサービス履歴情報保持部２８８に保持されている場合に、当該メダルサービス履歴情報ＭＳＨＩにおけるメダル提供回数ＭＳＭが二次元コード読取装置２２４により取得されたメダルサービス情報ＭＳＩのメダル提供許容回数ＭＳＭに達していることを示すまではメダルＭの提供が可能と判定する。換言すれば、メダル提供許容回数ＭＳＭを適宜設定すれば、そのメダル提供許容回数ＭＳＭの範囲内でメダルＭの提供が行われる。そのため、意図する範囲内でのみメダルＭの重複提供が可能となり、意図ずる範囲を超えたメダルＭの重複提供（すなわち、意図しないメダルＭの重複提供）が効果的に防止される。これにより、意図しないメダルＭの重複提供を防止しつつ、サービスの多様化が図れる。また、ゲーム場の店員が関与することなく自動でメダルＭの提供サービスが実行されるため、コストの増加を抑制できると共に、利用者の利便性も向上する。
【００９９】
さらに、メダルサービス可否判定部２６８が、二次元コード読取装置２２４により取得されたメダルサービス情報ＭＳＩおよび利用識別情報ＵＩＤの組み合わせに対応するメダルサービス履歴情報ＭＳＨＩがメダルサービス履歴情報保持部２８８に保持されていない場合にメダルサービス（遊技媒体の提供）が可能と判定される。これにより、メダルサービス可否判定部２６８における初回のメダルサービスの実行の可否判定が容易になるという利点がある。
【０１００】
（第２実施形態）
図１３は、本発明のメダル提供システム２が適用されるゲーム場１Ａの構成を示す。図１３に示すように、ゲーム場１Ａには、メダル貸し機１０Ａ、メダル預払機２０Ａ、複数のゲーム機３０および管理装置４０Ａが設置されている。メダル貸し機１０Ａ、メダル預払機２０および管理装置４０は、ＬＡＮ５０を介して相互に通信可能に接続されている。メダル貸し機１０Ａ、メダル預払機２０および管理装置４０は、メダル提供システム２を構成する。このメダル提供システム２では、上述した第１実施形態と同様に、メダルサービス券ＰＭを持参した利用者は、無償でメダルＭの提供を受け、そのメダルＭを使用してゲーム機３０でプレイすることができる。
【０１０１】
まず、図１４〜図１６を参照しながら、メダル貸し機１０Ａについて説明する。メダル貸し機１０Ａは、図２および図３のメダル貸し機１０に二次元コード読取装置１３４および通信装置１３６を追加すると共に、制御装置１１８に対応する制御装置１１８Ａにおいてメダルサービス制御部１４４および記憶部１４６を追加したものである。それ以外の構成は、図２および図３のメダル貸し機１０と同一である。そのため、図１４および図１５において、図２および図３のメダル貸し機１０と同じ構成要素には同一の符号を付してその説明を省略する。
【０１０２】
二次元コード読取装置１３４は、筐体１００の右側方に配置され、図４および図５のメダル預払機２０の二次元コード読取装置２２４と同一の機能を有している。すなわち、図１３に示すメダルサービス券ＰＭに印刷されたメダルサービス用二次元コードＭＳＣおよびカードＣＤに印刷された利用者識別用二次元コードＵＣを光学的に読み取る機能を有している。
【０１０３】
通信装置１３６は、ＬＡＮ５０を介して管理装置４０に通信可能に接続される。通信装置１３６は、制御装置１１８Ａにより制御され、後述する制御装置１１８Ａのメダルサービス制御部１４４において生成されたメダルサービス受付情報ＭＳＲＩを管理装置４０に送信すると共に、管理装置４０から送信された後述のメダルサービス許可情報ＭＳＰＩまたはメダルサービス禁止情報ＭＳＩＩを受信する。
【０１０４】
制御装置１１８Ａは、図１４に示すように、筐体１００内部の上部に配置され、メダル貸し機１０Ａの全体の動作を制御すると共に、メダル提供システム２の機能の一部を実行可能に構成されている。制御装置１１８Ａは、図３のメダル貸し機１０と同様に、表示装置１０２、入力装置１０４、紙幣入出金装置１０６、硬貨選別装置１０８およびメダル払出装置１１２に電気的に接続されると共に、二次元コード読取装置１３４および通信装置１３６に電気的に接続されている。制御装置１１８Ａは、図１６に示すように、主制御部１４２、メダルサービス制御部１４４および記憶部１４６を含んでいる。主制御部１４２は、表示装置１０２、入力装置１０４、紙幣入出金装置１０６、硬貨選別装置１０８およびメダル払出装置１１２を制御し、上述したメダル貸し機１０と同様の機能を提供する。また、主制御部１４２は、メダルサービス制御部１４４と協働してメダルサービスの機能を提供する。すなわち、主制御部１４２は、二次元コード読取装置１３４を動作させ、二次元コード読取装置１３４から出力される情報をメダルサービス制御部１４４に出力する。主制御部１４２は、メダルサービス制御部１４４から出力されたメダルサービス実行情報ＭＳＥＩに基づいてメダル払出装置１１２を動作させる。
【０１０５】
メダルサービス制御部１４４は、情報識別部１６２、メダルサービス受付情報生成部１６４およびメダルサービス実行部１６６を含んでいる。情報識別部１６２は、主制御部１４２から出力された情報が利用者識別情報ＵＩＤまたはメダルサービス情報ＭＳＩであるかを識別し、識別された利用者識別情報ＵＩＤを後述する利用者識別情報保持部１８２に格納すると共に、メダルサービス情報ＭＳＩを後述するメダルサービス情報保持部１８４に格納する。メダルサービス受付情報生成部１６４は、メダルサービス情報保持部１８４に保持されたメダルサービス情報ＭＳＩと利用者識別情報保持部２８４に保持された利用者識別情報ＵＩＤとの組み合わせからなるメダルサービス受付情報ＭＳＲＩを生成し、生成されたメダルサービス受付情報ＭＳＲＩ（換言すれば、メダルサービス情報ＭＳＩおよび利用者識別情報ＵＩＤの組み合わせ）を主制御部１４２に出力する。メダルサービス実行部１６６は、後述するメダルサービス許可情報ＭＳＰＩまたはメダルサービス禁止情報ＭＳＩＩに基づいてメダルサービスを実行しまたは実行しない。すなわち、主制御部１４２からメダルサービス実行部１６６にメダルサービス許可情報ＭＳＰＩが入力された場合、メダルサービス実行部１６６はメダルサービス情報保持部１８４に保持されたメダルサービス情報ＭＳＩに含まれるメダル提供枚数（メダルＭの提供数）ＭＮの払い出しを指示するメダル払出情報ＭＤＩを主制御部１４２に出力する。他方、主制御部１４２からメダルサービス実行部１６６にメダルサービス禁止情報ＭＳＩＩが入力された場合、メダルサービス実行部１６６はメダルサービス不可の表示を指示するメダルサービス不可表示情報ＭＳＤＩを主制御部１４２に出力する。
【０１０６】
記憶部１４６は、利用者識別情報保持部１８２およびメダルサービス情報保持部１８４を含んでいる。利用者識別情報保持部１８２は、情報識別部１６２により識別された利用者識別情報ＵＩＤを保持する。メダルサービス情報保持部１８４は、情報識別部１６２により識別されたメダルサービス情報ＭＳＩを保持する。
【０１０７】
通信装置１３６は、ＬＡＮ５０を介して管理装置４０に通信可能に接続され、制御装置１１８Ａの主制御部１４２により制御される。通信装置１４２は、主制御部１４２に入力されたメダルサービス受付情報ＭＳＲＩを管理装置４０Ａに送信すると共に、管理装置４０から送信されたメダルサービス許可情報ＭＳＰＩまたはメダルサービス禁止情報ＭＳＩＩを受信する。通信装置１３６は、受信したメダルサービス許可情報ＭＳＰＩまたはメダルサービス禁止情報ＭＳＩＩを制御装置１１８Ａの主制御部１４２に出力する。換言すれば、制御装置１１８Ａは、メダルサービス受付情報ＭＳＲＩを管理装置４０Ａに送信すると共に管理装置４０から送信されたメダルサービス許可情報ＭＳＰＩまたはメダルサービス禁止情報ＭＳＩＩを受信するよう通信装置１４２を制御する。
【０１０８】
次に、図１７および図１８を参照しながら、メダル預払機２０Ａについて説明する。メダル預払機２０Ａは、図６の制御装置２２８を制御装置２２８Ａに置換したものであり、それ以外の構成は図５および図６のメダル預払機２０と同一である。そのため、ここではメダル預払機２０と同じ構成要素には同一の符号を付してその詳細な説明を省略する。
【０１０９】
制御装置２２８Ａは、図１８に示すように、図６の制御装置２２８におけるメダルサービス制御部２４４からメダルサービス履歴情報検索部２６６、メダルサービス可否判定部２６８およびメダルサービス履歴情報検索部２６６を省略し、記憶部２４６のメダルサービス履歴情報保持部２８８を省略したものに相当する。制御装置２２８Ａのそれ以外の構成は、制御装置２２８と同一である。そのため、ここでは制御装置２２８と同じ構成要素には同一の符号を付してその詳細な説明を省略する。
【０１１０】
図１７および図１８のメダル預払機２０Ａでは、メダルサービス制御部２４４のメダルサービス受付情報生成部２６４は、生成したメダルサービス受付情報ＭＳＲＩ（換言すれば、メダルサービス情報ＭＳＩおよび利用者識別情報ＵＩＤの組み合わせ）を主制御部２４２に出力する。主制御部２４２は通信装置２３０を制御し、主制御部２４２に入力されたメダルサービス受付情報ＭＳＲＩを通信装置２３０が管理装置４０Ａに送信する。他方、主制御部２４２は通信装置２３０を制御し、管理装置４０Ａから送信されたメダルサービス許可情報ＭＳＰＩまたはメダルサービス禁止情報ＭＳＩＩを通信装置２３０が受信する。通信装置２３０は、受信したメダルサービス許可情報ＭＳＰＩまたはメダルサービス禁止情報ＭＳＩＩを主制御部２４２に出力する。主制御部２４２は、通信装置２３０から入力されたメダルサービス許可情報ＭＳＰＩまたはメダルサービス禁止情報ＭＳＩＩをメダルサービス実行部２７０に出力する。
【０１１１】
メダルサービス実行部２７０は、メダルサービス許可情報ＭＳＰＩまたはメダルサービス禁止情報ＭＳＩＩに基づいてメダルサービスを実行しまたは実行しない。すなわち、主制御部２４２からメダルサービス実行部２７０にメダルサービス許可情報ＭＳＰＩが入力された場合、メダルサービス実行部２７０はメダルサービス情報保持部２８６に保持されたメダルサービス情報ＭＳＩに含まれるメダル提供枚数（メダルＭの提供数）ＭＮの払い出しを指示するメダル払出情報ＭＤＩを主制御部２４２に出力する。他方、主制御部２４２からメダルサービス実行部２７０にメダルサービス禁止情報ＭＳＩＩが入力された場合、メダルサービス実行部２７０はメダルサービス不可の表示を指示するメダルサービス不可表示情報ＭＳＤＩを主制御部２４２に出力する。
【０１１２】
次に、図１９を参照しながら、管理装置４０Ａについて説明する。管理装置４０Ａは、図７の管理装置４０と同様に、入力部４０１、表示部４０２および通信インターフェース４０３を含んでいる。これらの構成要素は、図７の管理装置４０と同一であるため、ここではその詳細な説明を省略する。管理装置４０Ａは、さらに、制御部４０４Ａ、メダル預払サーバ４１およびメダルサービスサーバ４２を含んでいる。
【０１１３】
制御部４０４Ａは、入力部４０１、表示部４０２および通信インターフェース４０３を制御すると共に、メダル預払サーバ４１およびメダルサービスサーバ４２におけるデータの入出力を制御する。制御部４０４Ａは、通信インターフェース４０３がメダル貸し機１０Ａまたはメダル預払機２０Ａから送信されたメダルサービス受付情報ＭＳＲＩを受信した場合に、メダルサービス受付情報ＭＳＲＩをメダルサービスサーバ４２の第２データ処理部４４２に出力する。また、制御部４０４Ａは、メダルサービスサーバ４２の第２データ処理部４４２からメダルサービス許可情報ＭＳＰＩまたはメダルサービス禁止情報ＭＳＩＩが出力された場合に、メダルサービス許可情報ＭＳＰＩまたはメダルサービス禁止情報ＭＳＩＩを通信インターフェース４０３に出力する。制御部４０４Ａは、受信したメダルサービス受付情報ＭＳＲＩに対応するメダル貸し機１０Ａまたはメダル預払機２０Ａにメダルサービス許可情報ＭＳＰＩまたはメダルサービス禁止情報ＭＳＩＩを送信するよう通信インターフェース４０３を制御する。
【０１１４】
メダル預払入サーバ４１は、第１データ処理部４０５Ａおよび第１記憶部４０６Ａを含んでいる。第１データ処理部４０５Ａは、図７の管理装置４０のデータ処理部４０５に相当し、第１記憶部４０６Ａは、図７の管理装置４０の記憶部４０６に相当する。そのため、図１７において、図７の管理装置４０と同一の構成要素には同じ符号を付し、ここではその詳細な説明を省略する。
【０１１５】
メダルサービスサーバ４２は、制御部４０４Ａから出力されたメダルサービス受付情報ＭＳＲＩに基づいてメダルサービスの実行の可否を判定し、当該判定結果に基づきメダルサービス許可情報ＭＳＰＩまたはメダルサービス禁止情報ＭＳＩＩを制御部４０４Ａに出力すると共に、メダルサービス履歴情報ＭＳＨＩを更新する。メダルサービスサーバ４２は、第２データ処理部４４２および第２記憶部４４６を含んでいる。第２データ処理部４４２は、メダルサービス履歴情報検索部４６２、メダルサービス可否判定部４６４およびメダルサービス履歴情報更新部４６６を含んでいる。第２記憶部４４６は、メダルサービス履歴情報保持部４８２を含んでいる。
【０１１６】
メダルサービス履歴情報検索部４６２、メダルサービス可否判定部４６４、メダルサービス履歴情報更新部４６６およびメダルサービス履歴情報保持部４８２は、図６の制御装置２２８におけるメダルサービス履歴情報検索部２６６、メダルサービス可否判定部２６８、メダルサービス履歴情報更新部２７２およびメダルサービス履歴情報保持部２８８に相当する。すなわち、メダルサービス履歴情報検索部４６６は、メダルサービス履歴情報保持部４８２に保持された個々のメダルサービス履歴情報ＭＳＨＩを含むメダルサービスデータベースＭＳＤＢ（図９参照）を検索し、制御部４０４Ａから出力されたメダルサービス受付情報ＭＳＲＩ（換言すれば、メダルサービス情報ＭＳＩおよび利用者識別情報ＵＩＤの組み合わせ）に対応するメダルサービス履歴情報ＭＳＨＩの存在を確認する。メダルサービス可否判定部４６４は、メダルサービス履歴情報検索部４６２によって検索されたメダルサービス履歴情報ＭＳＨＩに基づいてメダルサービスの実行（換言すれば、メダルＭの払い出し）の可否を判定する。すなわち、メダルサービス受付情報ＭＳＲＩに対応するメダルサービス履歴情報ＭＳＨＩがメダルサービスデータベースＭＳＤＢに存在しない場合（換言すれば、メダルサービス情報ＭＳＩおよび利用者識別情報ＵＩＤの組み合わせに対応するメダルサービス履歴情報ＭＳＨＩが第２記憶部４４６のメダルサービス履歴情報保持部４８２に保持されていない場合）、メダルサービス可否判定部４６４はメダルサービスの実行が可能と判定し、制御部４０４Ａにメダルサービスの実行を許可するメダルサービス許可情報ＭＳＰＩを出力する。メダルサービス受付情報ＭＳＲＩに対応するメダルサービス履歴情報ＭＳＨＩがメダルサービスデータベースＭＳＤＢに存在する場合（換言すれば、メダルサービス情報ＭＳＩおよび利用者識別情報ＵＩＤの組み合わせに対応するメダルサービス履歴情報ＭＳＨＩが第２記憶部４４６のメダルサービス履歴情報保持部４８２に保持されている場合）、メダルサービス可否判定部４６４はメダルサービス履歴情報ＭＳＨＩのメダル提供回数ＭＳＮとメダルサービス情報ＭＳＩのメダル提供許容回数ＭＳＭとを対比することによりメダルサービスの実行の可否を判定する。すなわち、メダル提供回数ＭＳＮがメダル提供許容回数ＭＳＭを下回る場合（換言すれば、メダル提供回数ＭＳＮがメダル提供許容回数ＭＳＭに達するまでは）、メダルサービス可否判定部２６８はメダルサービスの実行が可能と判定し、制御部４０４Ａにメダルサービスの実行を許可するメダルサービス許可情報ＭＳＰＩを出力する。メダル提供回数ＭＳＮがメダル提供許容回数ＭＳＭ以上である場合（換言すれば、メダル提供回数ＭＳＮがメダル提供許容回数ＭＳＭに達した後は）、メダルサービス可否判定部２６８はメダルサービスの実行が不可と判定し、制御部４０４Ａにメダルサービスの実行を禁止するメダルサービス禁止情報ＭＳＩＩを出力する。
【０１１７】
メダルサービス履歴情報更新部４６６は、メダルサービス可否判定部２６８の判定結果に基づいてメダルサービス履歴情報ＭＳＨＩを更新する。すなわち、メダルサービス受付情報ＭＳＲＩに対応するメダルサービス履歴情報ＭＳＨＩがメダルデータベースＭＳＤＢに存在しない場合（換言すれば、メダルサービス情報ＭＳＩおよび利用者識別情報ＵＩＤの組み合わせに対応するメダルサービス履歴情報ＭＳＨＩが第２記憶部４４６のメダルサービス履歴情報保持部４８２に保持されていない場合）、制御部４０４Ａから出力されたメダルサービス受付情報ＭＳＲＩ（換言すれば、メダルサービス情報ＭＳＩおよび利用者識別情報ＵＩＤの組み合わせ）に対応するメダルサービス履歴情報ＭＳＨＩをメダルサービスデータベースＭＳＤＢに追加して、メダルサービス履歴情報ＭＳＨＩを更新する。この場合、メダル提供数ＭＳＮに「１」が設定される。メダルサービス受付情報ＭＳＲＩに対応するメダルサービス履歴情報ＭＳＨＩがメダルサービスデータベースＭＳＢＤに存在し（換言すれば、メダルサービス情報ＭＳＩおよび利用者識別情報ＵＩＤの組み合わせに対応するメダルサービス履歴情報ＭＳＨＩが第２記憶部４４６のメダルサービス履歴情報保持部４８２に保持されていて）、メダル提供回数ＭＳＮがメダル提供許容回数ＭＳＭを下回る場合、メダルサービス受付情報ＭＳＲＩ（すなわち、メダルサービス情報ＭＳＩおよび利用者識別情報ＵＩＤの組み合わせ）に対応するメダルサービス履歴情報ＭＳＨＩのメダル提供回数ＭＳＮに「１」を加算した値でメダル提供回数ＭＳＮを更新する。換言すれば、メダルサービス受付情報ＭＳＲＩに対応するメダルサービス（すなわち、メダルサービス情報ＭＳＩおよび利用者識別情報ＵＩＤの組み合わせに対応するメダルＭの提供）が実行される毎に、メダルサービス受付情報ＭＳＲＩ（換言すれば、メダルサービス情報ＭＳＩおよび利用者識別情報ＵＩＤの組み合わせ）に対応するメダルサービス履歴情報ＭＳＨＩが追加され、または、メダル提供回数ＭＳＮが更新されることにより、メダルサービス履歴情報ＭＳＨＩ（換言すれば、メダルサービスデータベースＭＳＤＢ）が更新される。
【０１１８】
次に、メダル提供システム２の動作について説明する。なお、ここでは、メダルサービスに関連する動作についてのみ説明し、メダル貸し機１０Ａのメダル貸出し動作、メダル預払機２０Ａのメダル預払動作、およびメダル預払機２０Ａと管理装置４０Ａとにおける生体認証の動作についての説明を省略する。
まず、図１８を参照しながら、メダル貸し機１０Ａ、メダル預払機２０Ａおよび管理装置４０Ａの相互作用について説明する。
【０１１９】
最初のステップＳＴ１では、メダル貸し機１０Ａにおいて利用者識別用二次元コードＵＣおよびメダルサービス用二次元コードＭＳＣが取得される。すなわち、メダル貸し機１０Ａの二次元コード読取装置１３４により、メダルサービス情報ＭＳＩおよび利用者識別情報ＵＩＤが取得される。取得されたメダルサービス情報ＭＳＩおよび利用者識別情報ＵＩＤの組み合わせからなるメダルサービス受付情報ＭＳＲＩは、次のステップＳＴ２において、メダル貸し機１０Ａから管理装置４０Ａに送信される。
【０１２０】
メダルサービス受付情報ＭＳＲＩ（換言すれば、メダルサービス情報ＭＳＩおよび利用者識別情報ＵＩＤの組み合わせ）を受信した管理装置４０Ａでは、ステップＳＴ３において、メダルサービスの可否判定がなされる。次のステップＳＴ４では、ステップＳＴ３における判定結果が管理装置４０Ａからメダル貸し機１０Ａに送信される。すなわち、メダルサービス許可情報ＭＳＰＩまたはメダルサービス禁止情報ＭＳＩＩがメダル貸し機１０Ａに送信される。
【０１２１】
判定結果を受信したメダル貸し機１０Ａでは、ステップＳＴ５において、当該判定結果に基づいてメダルサービスを実行するか否かを判断する。メダルサービス許可情報ＭＳＰＩを受信した場合には、次のステップＳＴ６においてメダルＭの払出が実行される。メダルサービス禁止情報ＭＳＩＩを受信した場合には、ステップＳＴ１に戻る。
【０１２２】
他方、ステップＳＴ７では、メダル預払機２０Ａにおいて利用者識別用二次元コードＵＣおよびメダルサービス用二次元コードＭＳＣが取得される。すなわち、メダル預払機２０Ａの二次元コード読取装置２２４により、メダルサービス情報ＭＳＩおよび利用者識別情報ＵＩＤが取得される。取得されたメダルサービス情報ＭＳＩおよび利用者識別情報ＵＩＤの組み合わせからなるメダルサービス受付情報ＭＳＲＩは、次のステップＳＴ８において、メダル預払機２０Ａから管理装置４０Ａに送信される。
【０１２３】
メダルサービス受付情報ＭＳＲＩを受信した管理装置４０Ａでは、ステップＳＴ９において、メダルサービスの可否判定がなされる。次のステップＳＴ１０では、ステップＳＴ９における判定結果が管理装置４０Ａからメダル預払機２０Ａに送信される。すなわち、メダルサービス許可情報ＭＳＰＩまたはメダルサービス禁止情報ＭＳＩＩがメダル預払機２０Ａに送信される。
【０１２４】
判定結果を受信したメダル預払機２０Ａでは、ステップＳＴ１１において、当該判定結果に基づいてメダルサービスを実行するか否かを判断する。メダルサービス許可情報ＭＳＰＩを受信した場合には、次のステップＳＴ１２においてメダルＭの払出が実行される。メダルサービス禁止情報ＭＳＩＩを受信した場合には、ステップＳＴ１に戻る。
【０１２５】
次に、図１９を参照しながら、メダル貸し機１０Ａの動作について説明する。ここでは、メダルサービスに関連する動作についてのみ説明する。
【０１２６】
まず、ステップＳ５１では、二次元コード読取装置１３４によって二次元コードが読み取られたか否かが判定される。すなわち、制御装置１１８Ａが二次元コード読取装置１３４を制御し、二次元コードが読み取られたか否かを判定する。二次元コードが読み取られたと判定された場合には次のステップＳ５２に進み、二次元コードが読み取られていないと判定された場合にはステップＳ５１が繰り返し実行される。換言すれば、二次元コード読取装置１３４により二次元コードが読み取られるまでは待機状態となる。二次元コードが読み取られた場合、制御装置１１８Ａの主制御部１４２が二次元コード読取装置１３４から出力された情報を制御装置１１８Ａにメダルサービス制御部１４４に出力する。
【０１２７】
次のステップＳ５２では、制御装置１１８Ａの主制御部１４２から出力された情報が利用者識別情報ＵＩＤであるか否かが判定される。すなわち、メダルサービス制御部１４４の情報識別部１６２が、二次元コード読取装置１３４により取得された情報が利用者識別情報ＵＩＤであるかを識別する。利用者識別情報ＵＩＤであると識別された場合にはステップＳ５３に進み、それ以外の場合にはステップＳ５７に進む。
【０１２８】
ステップＳ５３では、利用者識別情報ＵＩＤが格納される。すなわち、メダルサービス制御部１４４の情報識別部１６２が、利用者識別情報ＵＩＤを記憶部１４６の利用者識別情報保持部１８２に格納する。その後、次のステップＳ５４に進む。
【０１２９】
次のステップＳ５４では、ステップＳ５１と同様に、二次元コード読取装置１３４によって二次元コードが読み取られたか否かが判定される。二次元コードが読み取られたと判定された場合には次のステップＳ５５に進み、二次元コードが読み取られていないと判定された場合にはステップＳ５４が繰り返し実行される。換言すれば、二次元コード読取装置１３４により二次元コードが読み取られるまでは待機状態となる。二次元コードが読み取られた場合、制御装置１１８Ａの主制御部１４２が二次元コード読取装置１３４から出力された情報をメダルサービス制御部１４４に出力する。
【０１３０】
次のステップＳ５５では、制御装置１１８Ａの主制御部１４２から出力された情報がメダルサービス情報ＭＳＩであるか否かが判定される。すなわち、メダルサービス制御部１４４の情報識別部１６２が、二次元コード読取装置１３４により取得された情報がメダルサービス情報ＭＳＩであるかを識別する。メダルサービス情報ＭＳＩであると識別された場合にはステップＳ５６に進み、それ以外の場合にはステップＳ５４に戻る。換言すれば、二次元コード読取装置１３４から出力された情報がメダルサービス情報ＭＳＩと識別されるまではステップＳ５４およびＳ５５が繰り返し実行される。
【０１３１】
次のステップＳ５６では、メダルサービス情報ＭＳＩが格納される。すなわち、メダルサービス制御部１４４の情報識別部１６２が、メダルサービス情報ＭＳＩを記憶部１４６のメダルサービス情報保持部１８４に格納する。その後、ステップＳ６２に進む。
【０１３２】
ステップＳ５２において利用者識別情報ＵＩＤでないと判定された場合に実行されるステップＳ５７では、ステップＳ５１において二次元コード読取装置１３４により取得された情報がメダルサービス情報ＭＳＩであるか否かが判定される。すなわち、メダルサービス制御部１４４の情報識別部１６２が、二次元コード読取装置１３４により取得された情報がメダルサービス情報ＭＳＩであるかを識別する。メダルサービス情報ＭＳＩである場合にはステップＳ５８に進み、メダルサービス情報ＭＳＩでない場合にはステップＳ５１に戻る。
【０１３３】
次のステップＳ５８では、ステップＳ５６と同様に、メダルサービス情報ＭＳＩが格納される。
【０１３４】
次のステップＳ５９では、ステップＳ５１と同様に、二次元コード読取装置１３４によって二次元コードが読み取られたか否かが判定される。二次元コードが読み取られたと判定された場合には次のステップＳ６０に進み、二次元コードが読み取られていないと判定された場合にはステップＳ５９が繰り返し実行される。換言すれば、二次元コード読取装置１３４により二次元コードが読み取られるまでは待機状態となる。
【０１３５】
次のステップＳ６０では、ステップＳ５２と同様に、制御装置１１８Ａの主制御部１４２から出力された情報が利用者識別情報ＵＩＤであるか否かが判定される。利用者識別情報ＵＩＤである場合にはステップＳ６１に進み、利用者識別情報ＵＩＤでない場合にはステップＳ５９に戻る。
【０１３６】
次のステップＳ６１では、ステップＳ５３と同様に、利用者識別情報ＵＩＤが格納される。その後、次のステップＳ６２に進む。
【０１３７】
ステップＳ６２では、メダルサービス受付情報ＭＳＲＩが生成される。すなわち、メダルサービス制御部１４４のメダルサービス受付情報生成部１６４が記憶部１４６のメダルサービス情報保持部１８４に保持されたメダルサービス情報ＭＳＩおよび利用者識別情報保持部１８２に保持された利用者識別情報ＵＩＤを組み合わせてメダルサービス受付情報ＭＳＲＩを生成する。
【０１３８】
次のステップＳ６３では、ステップＳ６２で生成されたメダルサービス受付情報ＭＳＲＩが管理装置４０Ａに送信される。すなわち、メダルサービス制御部１４４のメダルサービス受付情報生成部１６４が主制御部１４２にメダルサービス受付情報ＭＳＲＩを出力し、主制御部１４２がメダルサービス受付情報ＭＳＲＩを管理装置４０Ａに送信するよう通信装置１３６を制御する。メダルサービス受付情報ＭＳＲＩの送信は、通信装置１３６に固有のアドレス（例えば、ＩＰアドレス（Internet Protocol Address））を用いて実行される。
【０１３９】
次のステップＳ６４では、メダルサービス許可情報ＭＳＰＩが受信されたか否かが判定される。すなわち、制御装置１１８Ａの主制御部１４２が通信装置１３６を制御してメダルサービス許可情報ＭＳＰＩの受信を確認する。メダルサービス許可情報ＭＳＰＩが受信された場合にはステップＳ６６に進み、それ以外の場合にはステップＳ６５に進む。
【０１４０】
ステップＳ６６では、メダルサービス禁止情報ＭＳＩＩが受信されたか否かが判定される。すなわち、制御装置１１８Ａの主制御部１４２が通信装置１３６を制御してメダルサービス禁止情報ＭＳＩＩの受信を確認する。メダルサービス禁止情報ＭＳＩＩが受信された場合にはステップＳ６７に進み、それ以外の場合にはステップＳ６４に戻る。換言すれば、メダルサービス許可情報ＭＳＰＩおよびメダルサービス禁止情報ＭＳＩＩのいずれか一方を受信するまでは待機状態となる。
【０１４１】
ステップＳ６４においてメダルサービス許可情報ＭＳＰＩを受信したと判定された場合に実行されるステップＳ６６では、メダルサービスが実行される。すなわち、制御装置１１８Ａの主制御部１４２がメダルサービス許可情報ＭＳＰＩをメダルサービス実行部１６６に出力し、メダルサービス実行部１６６が記憶部１４６のメダルサービス情報保持部１８４に保持されたメダルサービス情報ＭＳＩに含まれるメダル提供枚数（換言すれば、メダル提供数）ＭＮの払い出しを指示するメダル払出情報ＭＤＩを主制御部１４２に出力する。主制御部１４２は、メダル提供枚数ＭＮのメダルＭを払い出すようメダル払出装置１１２を制御する。これにより、メダル払出装置１１２がメダルＭを払い出す。
【０１４２】
ステップＳ６５においてメダルサービス禁止情報ＭＳＩＩを受信したと判定された場合に実行されるステップＳ６７では、メダルサービスが実行されず、メダルサービス不可の表示がなされる。すなわち、メダルサービス実行部１６６がメダルサービス不可の表示を指示するメダルサービス不可表示情報ＭＳＤＩを主制御部１４２に出力する。主制御部１４２は、メダルサービス不可の表示をするよう表示装置１０２を制御する。
【０１４３】
次に、図２２を参照しながら、メダル預払機２０Ａの動作について説明する。メダル預払機２０Ａにおける動作は、図１３におけるメダルサービスのステップＳ３３〜Ｓ３７を図２２のステップＳ７１〜Ｓ７５に置換したものに相当する。すなわち、図１０におけるステップＳ１〜Ｓ２０と、図１１のステップＳ２１〜Ｓ３２は同一であるため、ここではそれらのステップについての説明を省略する。
【０１４４】
図２２のステップＳ３２においてメダルサービス受付情報ＭＳＲＩが生成された後に実行されるステップＳ７１では、ステップＳ３２で生成されたメダルサービス受付情報ＭＳＲＩが管理装置４０Ａに送信される。すなわち、メダルサービス制御部２４４のメダルサービス受付情報生成部２６４が主制御部２４２にメダルサービス受付情報ＭＳＲＩを出力し、主制御部２４２がメダルサービス受付情報ＭＳＲＩを管理装置４０Ａに送信するよう通信装置２３０を制御する。メダルサービス受付情報ＭＳＲＩの送信は、通信装置２３０に固有のＩＰアドレスを用いて実行される。
【０１４５】
次のステップＳ７２では、メダルサービス許可情報ＭＳＰＩが受信されたか否かが判定される。すなわち、制御装置２２８Ａの主制御部２４２が通信装置２３０を制御してメダルサービス許可情報ＭＳＰＩの受信を確認する。メダルサービス許可情報ＭＳＰＩが受信された場合にはステップＳ７４に進み、それ以外の場合にはステップＳ７３に進む。
【０１４６】
ステップＳ７３では、メダルサービス禁止情報ＭＳＩＩが受信されたか否かが判定される。すなわち、制御装置２２８Ａの主制御部２４２が通信装置２３０を制御してメダルサービス禁止情報ＭＳＩＩの受信を確認する。メダルサービス禁止情報ＭＳＩＩが受信された場合にはステップＳ７５に進み、それ以外の場合にはステップＳ７２に戻る。換言すれば、メダルサービス許可情報ＭＳＰＩおよびメダルサービス禁止情報ＭＳＩＩのいずれか一方を受信するまでは待機状態となる。
【０１４７】
ステップＳ７２においてメダルサービス許可情報ＭＳＰＩを受信したと判定された場合に実行されるステップＳ７４では、メダルサービスが実行される。すなわち、制御装置２２８Ａの主制御部２４２がメダルサービス許可情報ＭＳＰＩをメダルサービス実行部２７０に出力し、メダルサービス実行部２７０が記憶部２４６のメダルサービス情報保持部２８６に保持されたメダルサービス情報ＭＳＩに含まれるメダル提供枚数（換言すれば、メダル提供数）ＭＮの払い出しを指示するメダル払出情報ＭＤＩを主制御部２４２に出力する。主制御部２４２は、メダル提供枚数ＭＮのメダルＭを払い出すようメダル払出装置２２０を制御する。これにより、メダル払出装置２２０がメダルＭを払い出す。
【０１４８】
ステップＳ７３においてメダルサービス禁止情報ＭＳＩＩを受信したと判定された場合に実行されるステップＳ７５では、メダルサービスが実行されず、メダルサービス不可の表示がなされる。すなわち、メダルサービス実行部２７０がメダルサービス不可の表示を指示するメダルサービス不可表示情報ＭＳＤＩを主制御部２４２に出力する。主制御部２４２は、メダルサービス不可の表示をするよう表示装置２０２を制御する。
【０１４９】
次に、図２３を参照しながら、管理装置４０Ａの動作について説明する。ここでは、メダルサービスに関連する動作についてのみ説明する。
【０１５０】
最初のステップＳ８１では、メダルサービス受付情報ＭＳＲＩが受信されたか否かが判定される。すなわち、制御部４０４Ａが通信インターフェース４０３を制御してメダルサービス受付情報ＭＳＲＩの受信を確認する。メダルサービス受付情報ＭＳＲＩが受信された場合にはステップＳ８２に進み、それ以外の場合にはステップＳ８１が繰り返し実行される。換言すれば、メダルサービス受付情報ＭＳＲＩが受信されるまでは待機状態となる。
【０１５１】
次のステップＳ８２では、メダルサービス履歴情報ＭＳＨＩが検索される。すなわち、第２データ処理部４４２のメダルサービス履歴情報検索部４６２が、ステップＳ８１で受信されたメダルサービス受付情報ＭＳＲＩに対応するメダルサービス履歴情報ＭＳＨＩがメダルサービスデータベースＭＳＤＢ（図９参照）に存在するか否かを検索する。換言すれば、メダルサービス履歴情報検索部４６６が、メダルサービス受付情報ＭＳＲＩ（すなわち、メダルサービス情報ＭＳＩおよび利用者識別情報ＵＩＤの組み合わせ）に対応するメダルサービス履歴情報ＭＳＨＩを第２記憶部４４６のメダルサービス履歴情報保持部４８２に保持されているメダルサービス履歴情報ＭＳＨＩの中から検索する。
【０１５２】
次のステップＳ８３では、ステップＳ８２の検索結果に基づき、第２データ処理部４４２のメダルサービス可否判定部４６４がメダルサービスの実行（換言すれば、無償でのメダルＭの提供）の可否を判定する。このステップＳ８３では、第１実施形態の場合と同様に、図１２のステップＳ４１〜Ｓ４４が実行される。そのため、ここではその詳細な説明を省略する。
【０１５３】
ステップＳ８３においてメダルサービスの実行が可能と判定された場合には、メダルサービス可否判定部４６４は制御部４０４Ａにメダルサービスの実行を許可するメダルサービス許可情報ＭＳＰＩを出力する。その後、ステップＳ８４が実行される。他方、ステップＳ８３においてメダルサービスの実行が不可と判定された場合には、メダルサービス可否判定部４６４は制御部４０４Ａにメダルサービスの実行を禁止するメダルサービス禁止情報ＭＳＩＩを出力する。その後、ステップＳ８６が実行される。
【０１５４】
ステップＳ８４では、メダルサービス許可情報ＭＳＰＩが送信される。すなわち、制御部４０４Ａは、メダルサービス可否判定部４６４から出力されたメダルサービス許可情報ＭＳＰＩを送信するよう通信インターフェース４０３を制御する。この場合、ステップＳ８１において受信したメダルサービス受付情報ＭＳＲＩの送信元のＩＰアドレスにより通信装置１３６および通信装置２３０のいずれか一方を特定し、特定された通信装置１３６または通信装置２３０にメダルサービス許可情報ＭＳＰＩを送信する。
【０１５５】
次のステップＳ８５では、メダルサービス履歴情報ＭＳＨＩが更新される。すなわち、図１２のステップＳ４１でメダルサービス履歴情報ＭＳＨＩが存在しないと判定され、図２３のステップＳ８４でメダルサービス許可情報ＭＳＰＩが送信された場合（換言すれば、図２１のステップＳ６６または図２２のステップＳ７４でメダルサービスが実行された場合）、第２データ処理部４４２のメダルサービス履歴情報更新部４８２が、メダルサービスが実行されたときのメダルサービス受付情報ＭＳＲＩ（換言すれば、メダルサービス情報ＭＳＩおよび利用者識別情報ＵＩＤの組み合わせ）に対応するメダルサービス履歴情報ＭＳＨＩをメダルサービスデータベースＭＳＤＢに追加すると共にメダル提供回数ＭＳＮに「１」を設定する。図１２のステップＳ４１でメダルサービス履歴情報ＭＳＨＩがメダルサービスデータベースＭＳＤＢに存在すると判定され、図２３のステップＳ８４でメダルサービス許可情報ＭＳＰＩが送信された場合（換言すれば、図２１のステップＳ６６または図２２のステップＳ７４でメダルサービスが実行された場合）、第２データ処理部４４２のメダルサービス履歴情報更新部４６６が、メダルサービスが実行されたときのメダルサービス受付情報ＭＳＲＩ（換言すれば、メダルサービス情報ＭＳＩおよび利用者識別情報ＵＩＤの組み合わせ）に対応するメダルサービス履歴情報ＭＳＨＩのメダル提供回数ＭＳＮに「１」を加算して、メダルサービス履歴情報ＭＳＨＩを更新する。これにより、メダルサービステータベースＭＳＤＢのメダルサービス履歴情報ＭＳＨＩを参照すれば、メダルサービス情報ＭＳＩおよび利用者識別情報ＵＩＤの組み合わせに対応するメダルサービスが提供されているか否かを判断できると共に、メダル提供回数ＭＳＮがメダル提供許容回数に達しているか否かを判断することが可能となる。ステップＳ８５の実行後、ステップＳ８１に戻る。
【０１５６】
他方、ステップＳ８６では、メダルサービス禁止情報ＭＳＩＩが送信される。すなわち、制御部４０４Ａは、メダルサービス可否判定部４６４から出力されたメダルサービス禁止情報ＭＳＩＩを送信するよう通信インターフェース４０３を制御する。この場合、ステップＳ８１において受信したメダルサービス受付情報ＭＳＲＩの送信元のＩＰアドレスにより通信装置１３６および通信装置２３０のいずれか一方を特定し、特定された通信装置１３６または通信装置２３０にメダルサービス禁止情報ＭＳＩＩを送信する。
【０１５７】
このように、メダル貸し機１０ＡにおいてステップＳ５１〜Ｓ６３が実行されることにより、二次元コード読取装置１３４により取得されたメダルサービス情報ＭＳＩおよび利用者識別情報ＵＩＤの組み合わせからなるメダルサービス受付情報ＭＳＲＩが管理装置４０Ａに送信される。メダル預払機２０ＡにおいてステップＳ２１〜Ｓ３２、Ｓ７１が実行されることにより、二次元コード読取装置２２４により取得されたメダルサービス情報ＭＳＩおよび利用者識別情報ＵＩＤの組み合わせからなるメダルサービス受付情報ＭＳＲＩが管理装置４０Ａに送信される。管理装置４０ＡにおいてステップＳ８１〜Ｓ８４、Ｓ８６が実行されることにより、メダル貸し機１０Ａまたはメダル預払機２０Ａから送信されたメダルサービス受付情報ＭＳＲＩ（すなわち、メダルサービス情報ＭＳＩおよび利用者識別情報ＵＩＤの組み合わせ）に対応するメダルサービス履歴情報ＭＳＨＩが存在するか否か、および、メダル提供回数ＭＳＮがメダル提供許容回数ＭＳＭに達しているか否か、に基づいてメダルサービスの実行の可否を判定する。そして、メダルサービスの実行が可能と判定された場合にはメダルサービス許可情報ＭＳＰＩが送信され、メダルサービスの実行が不可と判定された場合にはメダルサービス禁止情報ＭＳＩＩが送信される。
【０１５８】
メダル貸し機１０ＡにおいてステップＳ６４〜Ｓ６７が実行されることにより、メダルサービス許可情報ＭＳＰＩを受信した場合にはメダルサービスが実行（すなわち、メダルＭの払い出しが実行）され、メダルサービス禁止情報ＭＳＩＩを受信した場合にはメダルサービスが実行されない。メダル預払機２０ＡにおいてステップＳ７２〜Ｓ７５が実行されることにより、メダルサービス許可情報ＭＳＰＩを受信した場合にはメダルサービスが実行（すなわち、メダルＭの払い出しが実行）され、メダルサービス禁止情報ＭＳＩＩを受信した場合にはメダルサービスが実行されない。管理装置４０ＡにおいてステップＳ８５が実行されることにより、メダルサービスの実行が可能と判定され、メダル貸し機１０Ａまたはメダル預払機２０Ａにおいてメダルサービスの実行（すなわち、メダルＭの払い出しが実行）された場合、当該メダルサービスの実行に対応するメダルサービス情報ＭＳＩおよび利用者識別情報ＵＩＤの組み合わせに対応するメダルサービス履歴情報ＭＳＨＩがメダルサービスデータベースＭＳＤＢに追加され、または、当該メダルサービス情報ＭＳＩおよび利用者識別情報ＵＩＤの組み合わせに対応するメダル提供回数ＭＳＮに「１」が加算されることによって、メダルサービス履歴情報ＭＳＨＩが更新される。
【０１５９】
以上述べた通り、本発明の第２実施形態のメダル提供システム（遊技媒体提供システム）２では、メダル貸し機（遊技媒体処理装置）１０Ａの二次元コード読取装置（情報取得手段）１３４またはメダル預払機（遊技媒体処理装置）２０Ａの二次元コード読取装置（情報取得手段）２２４により複数の利用者に共通なメダルサービス情報（遊技媒体提供情報）ＭＳＩと複数の利用者のそれぞれを特定可能な利用者識別情報（識別情報）ＵＩＤとが取得される。メダル貸し機１０Ａまたはメダル預払機２０Ａからメダルサービス情報ＭＳＩおよび識別情報の組み合わせが送信された場合、管理装置４０Ａにおいて、当該利用者識別情報ＵＩＤに基づいてメダルＭを提供する利用者を特定し、特定された利用者に対して当該メダルサービス情報ＭＳＩに対応するメダルＭの提供の可否がメダルサービス可否判定部（遊技媒体提供可否判定手段）４６４により判定される。そして、管理装置４０Ａから判定結果が送信された場合、メダル貸し機１０Ａまたはメダル預払機２０Ａにおいて当該判定結果に基づいてメダルサービス情報ＭＳＩに含まれるメダルＭの提供数ＭＮに応じたメダルＭの提供がメダル払出装置（遊技媒体提供手段）１１２、２２０により行われる。そのため、提供すべきメダル数ＭＮを店舗毎に設定する必要がない。
【０１６０】
また、管理装置４０Ａにおいて、メダルサービス可否判定部４６４によりメダルＭの提供が可能と判定された場合、その判定に対応するメダルサービス情報ＭＳＩおよび利用者識別情報ＵＩＤの組み合わせに基づいてメダルＭが提供されたことを示すと共に当該組み合わせによりメダルＭの提供が実行される毎に加算されるメダル提供回数（計数値）ＭＳＮを示すメダルサービス履歴情報（遊技媒体提供履歴情報）ＭＳＨＩがメダルサービス履歴情報保持部（情報記憶手段）４８２に保持される。メダルサービス情報ＭＳＩはメダルＭの提供を実行可能なメダル提供許容回数（遊技媒体提供許容回数）ＭＳＭをさらに含み、メダルサービス可否判定部４６４は、メダル貸し機１０Ａまたはメダル預払機２０Ａから送信されたメダルサービス情報ＭＳＩおよび利用者識別情報ＵＩＤの組み合わせに対応するメダルサービス履歴情報ＭＳＨＩがメダルサービス履歴情報保持部４８２に保持されている場合に、当該メダルサービス履歴情報ＭＳＨＩにおけるメダル提供回数ＭＳＭがメダル貸し機１０Ａまたはメダル預払機２０Ａから送信されたメダルサービス情報ＭＳＩのメダル提供許容回数ＭＳＭに達していることを示すまではメダルＭの提供が可能であると判定する。換言すれば、メダル提供許容回数ＭＳＭを適宜設定すれば、そのメダル提供許容回数ＭＳＭの範囲内でメダルＭの提供が行われる。そのため、意図する範囲内でのみメダルＭの重複提供が可能となり、意図する範囲を超えたメダルＭの重複提供（すなわち、意図しないメダルＭの重複提供）が効果的に防止される。これにより、意図しないメダルＭの提供を防止しつつ、サービスの多様化が図れる。また、ゲーム場の店員が関与することなく自動でメダルＭの提供サービスが実行されるため、コストの増加を抑制できると共に、利用者の利便性も向上する。
【０１６１】
さらに、メダルサービス可否判定部４６４が、メダル貸し機１０Ａまたはメダル預払機２０Ａから送信されたメダルサービス情報ＭＳＩおよび利用識別情報ＵＩＤの組み合わせに対応するメダルサービス履歴情報ＭＳＨＩがメダルサービス履歴情報保持部４８２に保持されていない場合にメダルサービス（遊技媒体の提供）が可能と判定される。これにより、メダルサービス可否判定部２６８における初回のメダルサービスの実行の可否判定が容易になるという利点がある。
【０１６２】
（第３実施形態）
図２４は、第３実施形態のメダル提供装置で使用されるメダルサービスデータベースＭＳＤＢを示す。第３実施形態のメダル提供装置は、第１実施形態のメダル提供装置２１と同じ構成を有する。そのため、ここではその詳細な説明を省略する。
【０１６３】
本実施形態のメダル提供装置では、図２４に示すように、メダルサービスデータベースＭＳＤＢにおいて、第１実施形態のメダル提供装置２１におけるメダル提供回数ＭＳＮに代えてメダル提供残数ＭＳＲＮを使用した点が相違する。この場合、図１２のステップＳ４３に代えて、図２５に示すステップＳ４３Ａが実行される。すなわち、ステップＳ４３Ａでは、メダル提供残回数ＭＳＲＩが「０」であるか否かが判定される。メダル提供残回数ＭＳＲＮが「０」である場合にはステップＳ４４に進み、ステップＳ４４においてメダルサービスの実行が不可と判定される。他方、メダル提供残回数ＭＳＲＮが「０」でない場合にはステップＳ４２に進み、ステップＳ４２においてメダルサービスの実行が可能と判定される。
【０１６４】
図１１のステップＳ３６では、メダルサービス制御部２４４のメダルサービス履歴情報更新部２７２がメダルサービス履歴情報ＭＳＨＩを更新する。すなわち、図２４のステップＳ４１でメダルサービス履歴情報ＭＳＨＩが存在しないと判定され、図１１のステップＳ３５でメダルサービスが実行された場合、メダルサービス制御部２４４のメダルサービス履歴情報更新部２７２が、メダルサービスが実行されたときのメダルサービス受付情報ＭＳＲＩ（換言すれば、メダルサービス情報ＭＳＩおよび利用者識別情報ＵＩＤの組み合わせ）に対応するメダルサービス履歴情報ＭＳＨＩがメダルサービスデータベースＭＳＤＢに追加されると共にメダル提供残回数ＭＳＲＮにメダル提供許容回数ＭＳＭから「１」を減算した値を設定する。図１２のステップＳ４１でメダルサービス履歴情報ＭＳＨＩがメダルサービスデータベースＭＳＤＢに存在すると判定され、図１１のステップＳ３５でメダルサービスが実行された場合、メダルサービス制御部２４４のメダルサービス履歴情報更新部２７２が、メダルサービスが実行されたときのメダルサービス受付情報ＭＳＲＩ（換言すれば、メダルサービス情報ＭＳＩおよび利用者識別情報ＵＩＤの組み合わせ）に対応するメダルサービス履歴情報ＭＳＨＩのメダル提供残回数ＭＳＲＮから「１」を減算した値が新たなメダル提供残回数ＭＳＲＮとして設定されて、メダルサービス履歴情報ＭＳＨＩが更新される。これにより、メダルサービスデータベースＭＳＤＢのメダルサービス履歴情報ＭＳＨＩを参照すれば、メダルサービス情報ＭＳＩおよび利用者識別情報ＵＩＤの組み合わせに対応するメダルサービスが提供されているか否かを判断できると共に、メダルサービスが実行された回数がメダル提供許容回数ＭＳＭに達しているか否かを判断することが可能となる。
【０１６５】
第３実施形態のメダル提供装置においても、第１実施形態のメダル提供装置（遊技媒体提供装置）２１と同様に、二次元コード読取装置（情報取得手段）２２４により複数の利用者に共通なメダルサービス情報（遊技媒体提供情報）ＭＳＩおよび複数の利用者のそれぞれを特定可能な利用者識別情報（識別情報）ＵＩＤが取得される。メダルサービス情報ＭＳＩおよび利用者識別情報ＵＩＤが取得された場合、当該利用者識別情報ＵＩＤに基づいてメダル（遊技媒体）Ｍを提供する利用者を特定し、特定された利用者に対して当該メダルサービス情報ＭＳＩに対応するメダルＭの提供の可否がメダルサービス可否判定部（遊技媒体提供可否判定手段）２６８により判定される。そして、メダルサービス可否判定部２６８の判定結果に基づいてメダルサービス情報ＭＳＩに含まれるメダルＭの提供数ＭＮに応じたメダルＭの提供がメダル払出装置（遊技媒体提供手段）２２０により行われる。そのため、提供すべきメダル数ＭＮを店舗毎に設定する必要がない。
【０１６６】
また、メダルＭの提供がなされた場合、当該メダルＭの提供に対応するメダルサービス情報ＭＳＩおよび利用者識別情報ＵＩＤの組み合わせに基づいてメダルＭが提供されたことを示すと共に当該組み合わせによりメダルＭの提供が実行される毎に減算されるメダル提供残回数（計数値）ＭＳＲＮを示すメダルサービス履歴情報（遊技媒体提供履歴情報）ＭＳＨＩがメダルサービス履歴情報保持部（情報記憶手段）２８８に保持される。メダルサービス情報ＭＳＩはメダルＭの提供を実行可能なメダル提供許容回数（遊技媒体提供許容回数）ＭＳＭをさらに含み、メダルサービス可否判定部２６８は、二次元コード読取装置２２４により取得されたメダルサービス情報ＭＳＩおよび利用者識別情報ＵＩＤの組み合わせに対応するメダルサービス履歴情報ＭＳＨＩがメダルサービス履歴情報保持部２８８に保持されている場合に、当該メダルサービス履歴情報ＭＳＨＩにおけるメダル提供残回数ＭＳＲＭが二次元コード読取装置２２４により取得されたメダルサービス情報ＭＳＩのメダル提供許容回数ＭＳＭに達していることを示すまではメダルＭの提供が可能と判定する。メダル提供許容回数ＭＳＭを適宜設定すれば、そのメダル提供許容回数ＭＳＭの範囲内でメダルＭの提供が行われる。そのため、意図する範囲内でのみメダルＭの重複提供が可能となり、意図ずる範囲を超えたメダルＭの重複提供（すなわち、意図しないメダルＭの重複提供）が効果的に防止される。これにより、意図しないメダルＭの重複提供を防止しつつ、サービスの多様化が図れる。また、ゲーム場の店員が関与することなく自動でメダルＭの提供サービスが実行されるため、コストの増加を抑制できると共に、利用者の利便性も向上する。
【０１６７】
（第４実施形態）
図２６は、本発明の第４実施形態のメダル提供装置２１Ａを構成するメダル預払機２０Ｂを示す。メダル預払機２０Ｂは、ＩＣカード読取装置２２５を追加した点を除き、第１実施形態のメダル預払機２０と同一である。そのため、図２６において図５のメダル預払機２０と同じ構成要素には同一の符号を付してその説明を省略する。
【０１６８】
図２６のメダル預払機２０Ｂは、ＩＣカード読取装置２２５をさらに有している。換言すれば、メダル提供装置２１Ａは、二次元コード読取装置２２４、ＩＣカード読取装置２２５、制御装置２２８およびメダル払出装置２２０を含んでいる。ＩＣカード読取装置２２５は、利用者が所持するカードＣＤがＥＥＰＲＯＭ（Electrically Erasable Programmable Read-Only Memory）などの不揮発性メモリを含む半導体集積回路（Integrated Circuit、以下ＩＣという）が内蔵されたカード形の非接触式記録媒体である場合に使用される。ＩＣカード読取装置２２５は、カードＣＤに記録されたカード識別情報を読み込むことにより、利用者を特定可能な利用者識別情報ＵＩＤを取得する。
【０１６９】
第４実施形態のメダル提供装置２１Ａでは、二次元コード読取装置（第１情報取得手段）２２４により複数の利用者に共通なメダルサービス情報（遊技媒体提供情報）ＭＳＩが取得されると共に、ＩＣカード読取装置（第２情報取得手段）２２５により複数の利用者のそれぞれを特定可能な利用者識別情報（識別情報）ＵＩＤが取得される。メダルサービス情報ＭＳＩおよび利用者識別情報ＵＩＤが取得された場合、当該利用者識別情報ＵＩＤに基づいてメダル（遊技媒体）Ｍを提供する利用者を特定し、特定された利用者に対して当該メダルサービス情報ＭＳＩに対応するメダルＭの提供の可否がメダルサービス可否判定部（遊技媒体提供可否判定手段）２６８により判定される。そして、メダルサービス可否判定部２６８の判定結果に基づいてメダルサービス情報ＭＳＩに含まれるメダルＭの提供数ＭＮに応じたメダルＭの提供がメダル払出装置（遊技媒体提供手段）２２０により行われる。そのため、提供すべきメダル数ＭＮを店舗毎に設定する必要がない。
【０１７０】
また、メダルＭの提供がなされた場合、当該メダルＭの提供に対応するメダルサービス情報ＭＳＩおよび利用者識別情報ＵＩＤの組み合わせに基づいてメダルＭが提供されたことを示すと共に当該組み合わせによりメダルＭの提供が実行される毎に加算されるメダル提供回数（計数値）ＭＳＮを示すメダルサービス履歴情報（遊技媒体提供履歴情報）ＭＳＨＩがメダルサービス履歴情報保持部（情報記憶手段）２８８に保持される。メダルサービス情報ＭＳＩはメダルＭの提供を実行可能なメダル提供許容回数（遊技媒体提供許容回数）ＭＳＭをさらに含み、メダルサービス可否判定部２６８は、二次元コード読取装置２２４により取得されたメダルサービス情報ＭＳＩおよび利用者識別情報ＵＩＤの組み合わせに対応するメダルサービス履歴情報ＭＳＨＩがメダルサービス履歴情報保持部２８８に保持されている場合に、当該メダルサービス履歴情報ＭＳＨＩにおけるメダル提供回数ＭＳＭが二次元コード読取装置２２４により取得されたメダルサービス情報ＭＳＩのメダル提供許容回数ＭＳＭに達していることを示すまではメダルＭの提供が可能と判定する。換言すれば、メダル提供許容回数ＭＳＭを適宜設定すれば、そのメダル提供許容回数ＭＳＭの範囲内でメダルＭの提供が行われる。そのため、意図する範囲内でのみメダルＭの重複提供が可能となり、意図ずる範囲を超えたメダルＭの重複提供（すなわち、意図しないメダルＭの重複提供）が効果的に防止される。これにより、意図しないメダルＭの重複提供を防止しつつ、サービスの多様化が図れる。また、ゲーム場の店員が関与することなく自動でメダルＭの提供サービスが実行されるため、コストの増加を抑制できると共に、利用者の利便性も向上する。
【０１７１】
（変形例）
本発明は、上述した第１、第３および第４実施形態のメダル提供装置２１、２１Ａおよび第２実施形態のメダル提供システム２に限定されるものではなく、適宜の変更が可能である。例えば、第１実施形態ではメダル預払機２０にメダル提供装置２１の機能を持たせているが、メダル貸し機１０にメダル提供装置２１の機能を持たせることも勿論可能である。すなわち、メダル貸し機１０に二次元コード読取装置、メダルサービス制御部およびメダルサービス用情報保持部を追加することによりメダル提供装置を構成することができる。
【０１７２】
また、第１実施形態のメダル提供装置２１では、二次元コード読取装置２２４により利用者識別情報ＵＩＤを取得しているが、少なくとも利用者を特定可能な識別情報を取得できればよい。例えば、カードＣＤに一次元コードを記録して、一次元コードおよび二次元コードの双方を読み取り可能な読取装置を使用することもできる。さらに、第４実施形態のメダル提供装置（第２情報取得手段）２１Ａでは、ＩＣカード読取装置２２５を使用しているが、カードＣＤに一次元コードを記録して、ＩＣカード読取装置２２５に代えて一次元コード読取装置を第２情報取得手段とすることも可能である。あるいは、生体情報取得装置２１０で取得された生体情報ＢＩを利用者識別情報ＵＩＤとして用いてもよい。
【０１７３】
さらに、第２実施形態のメダル提供システム２においても、第３実施形態、第４実施形態および上記変形例を適宜に適用可能であることは勿論である。
【０１７４】
また、第１、第３および第４実施形態のメダル提供装置２１、２１Ａおよび第２実施形態のメダル提供システム２では、メダルＭを払い出す（換言すれば、物理メダルＭを払い出す）ことによりメダルサービスが行われているが、物理メダルの払い出しに代えて電子メダルをメダル預払機２０、２０Ａ、２０Ｂに預け入れられるようにしてもよい。その場合、メダルサービスとして物理メダルの払い出しと電子メダルの預け入れとを利用者が選択することができ、より多様なサービス形態を実現できる。これは、第２実施形態のメダル提供システム２のメダル預払機２０Ａにおいても適用可能である。
【産業上の利用可能性】
【０１７５】
本発明は、メダル（遊技媒体）を使用してゲーム機のプレイを行うゲーム場に好適に利用できる。
【符号の説明】
【０１７６】
１、１Ａ  ゲーム場
２  メダル提供システム
１０、１０Ａ  メダル貸し機
２０、２０Ａ、２０Ｂ  メダル預払機
２１、２１Ａ  メダル提供装置
３０  ゲーム機
４０、４０Ａ  管理装置
４１  メダル預払サーバ
４２  メダルサービスサーバ
５０  ＬＡＮ
１００  筐体
１０２  表示装置
１０４  入力装置
１０６  紙幣入出金装置
１０８  硬貨選別装置
１１０  硬貨金庫
１１２  メダル払出装置
１１４  硬貨払出口
１１６  メダル払出口
１１８、１１８Ａ  制御装置
１２０  紙幣投入口
１２２  紙幣払出口
１２４  硬貨投入口
１２６  硬貨返却レバー
１３４  二次元コード読取装置
１３６  通信装置
１４２  主制御部
１４２  通信装置
１４４  メダルサービス制御部
１４６  記憶部
１６２  情報識別部
１６４  メダルサービス受付情報生成部
１６６  メダルサービス実行部
１８２  利用者識別情報保持部
１８４  メダルサービス情報保持部
２００  筐体
２０２  表示装置
２０４  入力装置
２０６  タッチパネル
２０７  操作ボタン
２０８  載置台
２１０  生体情報取得装置
２１１  生体情報認証装置
２１２  メダル投入口
２１４  メダル計数装置
２１６  メダル回収容器
２１８  メダル貯留容器
２２０  メダル払出装置
２２２  メダル払出口
２２４  二次元コード読取装置
２２５  ＩＣカード読取装置
２２８、２２８Ａ  制御装置
２３０  通信装置
２４２  主制御部
２４６  記憶部
２４８  メダルサービス用情報保持部
２６２  情報識別部
２６４  メダルサービス受付情報生成部
２６６  メダルサービス履歴情報検索部
２６８  メダルサービス可否判定部
２７０  メダルサービス実行部
２７２  メダルサービス履歴情報更新部
２８２  生体情報保持部
２８４  利用者識別情報保持部
２８６  メダルサービス情報保持部
２８８  メダルサービス履歴情報保持部
４０１  入力部
４０２  表示部
４０３  通信インターフェース
４０４、４０４Ａ  制御部
４０５  データ処理部
４０５Ａ  第１データ処理部
４０６  記憶部
４０６Ａ  第１記憶部
４１２  生体情報検索部
４１４  登録メダル数演算部
４１６  登録メダル数更新部
４２２  登録生体情報保持部
４２４  登録メダル数保持部
４４２  第２データ処理部
４４６  第２記憶部
４６２  メダルサービス履歴情報検索部
４６４  メダルサービス可否判定部
４６６  メダルサービス履歴情報更新部
４８２  メダルサービス履歴情報保持部
ＢＩ  生体情報
ＣＤ  カード
Ｍ  メダル
ＭＤＩ  メダル払出情報
ＭＩＤ  メダルサービス識別情報
ＭＮ  メダル提供枚数（メダル提供数）
ＭＳＣ  メダルサービス用二次元コード
ＭＳＤＢ  メダルサービスデータベース
ＭＳＤＩ  メダルサービス不可表示情報
ＭＳＥＩ  メダルサービス実行情報
ＭＳＨＩ  メダルサービス履歴情報
ＭＳＩ  メダルサービス情報
ＭＳＩＩ  メダルサービス禁止情報
ＭＳＰＩ  メダルサービス許可情報
ＭＳＲＩ  メダルサービス受付情報
ＭＳＲＮ  メダル提供残回数
Ｎｄｐ  メダル預入数
Ｎｄｓ  メダル払出数
Ｎｒｇ  登録メダル数
ＰＭ  メダルサービス券
ＲＢＩ  登録生体情報
ＵＣ  利用者識別用二次元コード
ＵＩＤ  利用者識別情報
ＵＮ  会員利用者識別番号
【図１】
2019088498.tif 000003
【図２】
2019088498.tif 000004
【図３】
2019088498.tif 000005
【図４】
2019088498.tif 000006
【図５】
2019088498.tif 000007
【図６】
2019088498.tif 000008
【図７】
2019088498.tif 000009
【図８】
2019088498.tif 000010
【図９】
2019088498.tif 000011
【図１０】
2019088498.tif 000012
【図１１】
2019088498.tif 000013
【図１２】
2019088498.tif 000014
【図１３】
2019088498.tif 000015
【図１４】
2019088498.tif 000016
【図１５】
2019088498.tif 000017
【図１６】
2019088498.tif 000018
【図１７】
2019088498.tif 000019
【図１８】
2019088498.tif 000020
【図１９】
2019088498.tif 000021
【図２０】
2019088498.tif 000022
【図２１】
2019088498.tif 000023
【図２２】
2019088498.tif 000024
【図２３】
2019088498.tif 000025
【図２４】
2019088498.tif 000026
【図２５】
2019088498.tif 000027
【図２６】
2019088498.tif 000028